(57)【要約】【課題】効率的に上りリンク制御情報を伝送することができる【解決手段】端末装置は、プライマリセルにおいてトランスポートブロックを受信し、且つ、スケジューリング要求が負のスケジューリング要求である、且つ、ＨＡＲＱ−ＡＣＫとスケジューリング要求がサブフレームｎにおいて送信される場合、セカンダリセルにおけるサブフレームｑが第１の所定のサブフレームの何れでもない場合、第１の送信方法を選択し、前記サブフレームｑが第１の所定のサブフレームの何れかである場合、第２の送信方法を選択し、ＨＡＲＱ−ＡＣＫのためのＰＵＣＣＨリソースにおいて前記ＨＡＲＱ−ＡＣＫを送信し、前記サブフレームｑは、前記セカンダリセルに対する第１の上位層のパラメータが設定されない場合、ｎ−４で与えられ、端末装置１に前記セカンダリセルに対する第１の上位層のパラメータが設定されている場合、ｎ−３で与えられる。【選択図】図６
2019106637.tif 000002
【特許請求の範囲】
【請求項１】
１つのプライマリセル、および、１つのセカンダリセルを含む２つのサービングセル用いて基地局装置と通信する端末装置であって、
トランスポートブロックを受信する受信部と、
サブフレームｎ―ｋｐｐにおける前記プライマリセルにおいてトランスポートブロックが受信され、且つ、スケジューリング要求が負のスケジューリング要求である、且つ、ＨＡＲＱ−ＡＣＫと前記スケジューリング要求がサブフレームｎにおいて送信される場合、前記セカンダリセルにおけるサブフレームｑが第１の所定のサブフレームの何れでもない場合、第１の送信方法を選択し、前記セカンダリセルにおけるサブフレームｊが第１の所定のサブフレームの何れかである場合、第２の送信方法を選択し、選択された送信方法を用いて前記ＨＡＲＱ−ＡＣＫのためのＰＵＣＣＨリソースにおいて第１のＨＡＲＱ−ＡＣＫを送信する送信部１０７と、を備え、
前記第１の送信方法はＦＤＤに対するチャネル選択をともなうＰＵＣＣＨフォーマット１ｂをともなうＨＡＲＱ−ＡＣＫの送信方法であり、
前記第２の送信方法はＦＤＤに対するＰＵＣＣＨフォーマット１ａまたは１ｂをともなうＨＡＲＱ−ＡＣＫの送信方法であり、
前記サブフレームｑは、前記端末装置に前記セカンダリセルに対する上位層のパラメータｓｈｏｒｔＰｒｏｃｅｓｓｉｎｇＴｉｍｅが設定されない場合、ｎ−４で与えられ、
前記端末装置に前記セカンダリセルに対する上位層のパラメータｓｈｏｒｔＰｒｏｃｅｓｓｉｎｇＴｉｍｅが設定されている場合、ｎ−３で与えられる端末装置。
【請求項２】
前記第１の所定のサブフレームは、上りリンクサブフレームを含んでもよいし、前記第１の所定のサブフレームは所定の設定のスペシャルサブフレームを含んでもよいし、前記所定の設定は、ノーマルＣＰが設定された場合、コンフィギュレーション０または５であり、拡張ＣＰが設定された場合、コンフィギュレーション０または４である請求項１に記載する端末装置。
【請求項３】
１つのプライマリセルおよび１つのセカンダリセルを含む２つのサービングセル用いて端末装置と通信する基地局装置であって、
トランスポートブロックを送信する送信部と、
サブフレームｎ―ｋｐｐにおける前記プライマリセルにおいてトランスポートブロックが送信され、且つ、スケジューリング要求が負のスケジューリング要求である、且つ、前記トランスポートブロックに対するＨＡＲＱ−ＡＣＫと前記スケジューリング要求がサブフレームｎにおいて送信される場合、前記セカンダリセルにおけるサブフレームｑが第１の所定のサブフレームの何れでもない場合、第１の送信方法を選択し、前記セカンダリセルにおけるサブフレームｊが第１の所定のサブフレームの何れかである場合、第２の送信方法を選択し、選択された送信方法を用いてＨＡＲＱ−ＡＣＫ送信のためのＰＵＣＣＨリソースにおいて第１のＨＡＲＱ−ＡＣＫを受信する受信部と、を備え、
前記第１の送信方法はＦＤＤに対するチャネル選択をともなうＰＵＣＣＨフォーマット１ｂをともなうＨＡＲＱ−ＡＣＫの送信方法であり、
前記第２の送信方法はＦＤＤに対するＰＵＣＣＨフォーマット１ａまたは１ｂをともなうＨＡＲＱ−ＡＣＫの送信方法であり、
前記サブフレームｑは、前記端末装置に前記セカンダリセルに対する上位層のパラメータｓｈｏｒｔＰｒｏｃｅｓｓｉｎｇＴｉｍｅが設定されない場合、ｎ−４で与えられ、
前記端末装置１に前記セカンダリセルに対する上位層のパラメータｓｈｏｒｔＰｒｏｃｅｓｓｉｎｇＴｉｍｅが設定されている場合、ｎ−３で与えられる基地局装置。
【請求項４】
前記第１の所定のサブフレームは、上りリンクサブフレームを含んでもよいし、前記第１の所定のサブフレームは所定の設定のスペシャルサブフレームを含んでもよいし、前記
所定の設定は、ノーマルＣＰが設定された場合、コンフィギュレーション０または５であり、拡張ＣＰが設定された場合、コンフィギュレーション０または４である請求項３に記載する基地局装置。
【発明の詳細な説明】
【技術分野】
【０００１】
本発明は、端末装置、基地局装置、通信方法、および、集積回路に関する。
【背景技術】
【０００２】
セルラー移動通信の無線アクセス方式および無線ネットワーク（以下、「Long Term Evolution （LTE）」、または、「Evolved Universal TerrestrialRadio Access : EUTRA
」と称する。）が、第三世代パートナーシッププロジェクト（3rd Generation PartnershipProject: 3GPP）において検討されている。ＬＴＥでは、基地局装置をｅＮｏｄｅＢ（evolved NodeB）、端末装置をＵＥ（User Equipment）とも称する。ＬＴＥは、基地局装
置がカバーするエリアをセル状に複数配置するセルラー通信システムである。単一の基地局装置は複数のセルを管理してもよい。
【０００３】
ＬＴＥリリース１３において、ＰＵＳＣＨおよびＰＵＣＣＨが上りリンク制御情報が伝送することが仕様化されている（非特許文献１、２、３、４）。３ＧＰＰにおいて、待ち時間の縮小の強化（latency reduction enhancements）が検討されている。非特許文献５において、１ms送信時間間隔（TransmissionTime Interval, TTI）に対して、処理時間
を短縮する検討が始まっている。
【先行技術文献】
【非特許文献】
【０００４】
【非特許文献１】"3GPP TS 36.211 V13.1.0 (2016-03)",29th March, 2016.
【非特許文献２】"3GPP TS 36.212 V13.1.0 (2016-03)",29th March, 2016.
【非特許文献３】"3GPP TS 36.213 V13.1.1 (2016-03)",31th March, 2016.
【非特許文献４】"3GPP TS 36.300 V13.2.0 (2015-12)",13th January, 2015.
【非特許文献５】"Work Item on shortened TTI andprocessing time for LTE", RP-161299, Ericsson, 3GPP TSG RAN Meeting#72,Busan, Korea, June 13-16, 2016.
【発明の概要】
【発明が解決しようとする課題】
【０００５】
本発明は、効率的に上りリンク制御情報を送信することができる端末装置、該端末装置に用いられる通信方法、該端末装置に実装される集積回路、効率的に上りリンク制御情報を受信することができる基地局装置、該基地局装置に用いられる通信方法、および、該基地局装置に実装される集積回路を提供する。
【課題を解決するための手段】
【０００６】
（１）本発明の態様は、以下のような手段を講じた。すなわち、本発明の第１の態様は、端末装置であって、１つのプライマリセル、および、１つのセカンダリセルを含む２つのサービングセル用いて基地局装置と通信する端末装置であって、トランスポートブロックを受信する受信部と、サブフレームｎ―ｋｐｐにおける前記プライマリセルにおいてトランスポートブロックが受信され、且つ、スケジューリング要求が負のスケジューリング要求である、且つ、ＨＡＲＱ−ＡＣＫと前記スケジューリング要求がサブフレームｎにおいて送信される場合、前記セカンダリセルにおけるサブフレームｑが第１の所定のサブフレームの何れでもない場合、第１の送信方法を選択し、前記セカンダリセルにおけるサブフレームｊが第１の所定のサブフレームの何れかである場合、第２の送信方法を選択し、選択された送信方法を用いて前記ＨＡＲＱ−ＡＣＫのためのＰＵＣＣＨリソースにおいて第１のＨＡＲＱ−ＡＣＫを送信する送信部と、を備え、前記第１の送信方法はＦＤＤに対するチャネル選択をともなうＰＵＣＣＨフォーマット１ｂをともなうＨＡＲＱ−ＡＣＫの
送信方法であり、前記第２の送信方法はＦＤＤに対するＰＵＣＣＨフォーマット１ａまたは１ｂをともなうＨＡＲＱ−ＡＣＫの送信方法であり、前記サブフレームｑは、前記端末装置１に前記セカンダリセルに対する上位層のパラメータｓｈｏｒｔＰｒｏｃｅｓｓｉｎｇＴｉｍｅが設定されない場合、ｎ−４で与えられ、前記端末装置１に前記セカンダリセルに対する上位層のパラメータｓｈｏｒｔＰｒｏｃｅｓｓｉｎｇＴｉｍｅが設定されている場合、ｎ−３で与えられる。
【０００７】
（２）本発明の第２の態様は、基地局装置であって、１つのプライマリセル、および、１つのセカンダリセルを含む２つのサービングセル用いて端末装置と通信する基地局装置であって、１つのプライマリセルおよび１つのセカンダリセルを含む２つのサービングセル用いて端末装置１と通信する基地局装置３であって、トランスポートブロックを送信する送信部と、サブフレームｎ―ｋｐｐにおける前記プライマリセルにおいてトランスポートブロックが送信され、且つ、スケジューリング要求が負のスケジューリング要求である、且つ、前記トランスポートブロックに対するＨＡＲＱ−ＡＣＫと前記スケジューリング要求がサブフレームｎにおいて送信される場合、前記セカンダリセルにおけるサブフレームｑが第１の所定のサブフレームの何れでもない場合、第１の送信方法を選択し、前記セカンダリセルにおけるサブフレームｊが第１の所定のサブフレームの何れかである場合、第２の送信方法を選択し、選択された送信方法を用いてＨＡＲＱ−ＡＣＫ送信のためのＰＵＣＣＨリソースにおいて第１のＨＡＲＱ−ＡＣＫを受信する受信部と、を備え、前記第１の送信方法はＦＤＤに対するチャネル選択をともなうＰＵＣＣＨフォーマット１ｂをともなうＨＡＲＱ−ＡＣＫの送信方法であり、前記第２の送信方法はＦＤＤに対するＰＵＣＣＨフォーマット１ａまたは１ｂをともなうＨＡＲＱ−ＡＣＫの送信方法であり、前記サブフレームｑは、前記端末装置１に前記セカンダリセルに対する上位層のパラメータｓｈｏｒｔＰｒｏｃｅｓｓｉｎｇＴｉｍｅが設定されない場合、ｎ−４で与えられ、前記端末装置１に前記セカンダリセルに対する上位層のパラメータｓｈｏｒｔＰｒｏｃｅｓｓｉｎｇＴｉｍｅが設定されている場合、ｎ−３で与えられる。
【０００８】
（３）本発明の第３の態様は、１つのプライマリセル、および、１つのセカンダリセルを含む２つのサービングセル用いて基地局装置と通信する端末装置に用いられる通信方法であって、トランスポートブロックを受信するステップと、サブフレームｎ―ｋｐｐにおける前記プライマリセルにおいてトランスポートブロックが受信され、且つ、スケジューリング要求が負のスケジューリング要求である、且つ、ＨＡＲＱ−ＡＣＫと前記スケジューリング要求がサブフレームｎにおいて送信される場合、前記セカンダリセルにおけるサブフレームｑが第１の所定のサブフレームの何れでもない場合、第１の送信方法を選択し、前記セカンダリセルにおけるサブフレームｊが第１の所定のサブフレームの何れかである場合、第２の送信方法を選択し、選択された送信方法を用いて前記ＨＡＲＱ−ＡＣＫのためのＰＵＣＣＨリソースにおいて第１のＨＡＲＱ−ＡＣＫを送信する送信ステップと、を備え、前記第１の送信方法はＦＤＤに対するチャネル選択をともなうＰＵＣＣＨフォーマット１ｂをともなうＨＡＲＱ−ＡＣＫの送信方法であり、前記第２の送信方法はＦＤＤに対するＰＵＣＣＨフォーマット１ａまたは１ｂをともなうＨＡＲＱ−ＡＣＫの送信方法であり、前記サブフレームｑは、前記端末装置１に前記セカンダリセルに対する上位層のパラメータｓｈｏｒｔＰｒｏｃｅｓｓｉｎｇＴｉｍｅが設定されない場合、ｎ−４で与えられ、前記端末装置１に前記セカンダリセルに対する上位層のパラメータｓｈｏｒｔＰｒｏｃｅｓｓｉｎｇＴｉｍｅが設定されている場合、ｎ−３で与えられる。
【０００９】
（４）本発明の第４の態様は、１つのプライマリセル、および、１つのセカンダリセルを含む２つのサービングセル用いて端末装置と通信する基地局装置に用いられる通信方法であって、１つのプライマリセルおよび１つのセカンダリセルを含む２つのサービングセル用いて端末装置１と通信する基地局装置３であって、トランスポートブロックを送信する送信ステップと、サブフレームｎ―ｋｐｐにおける前記プライマリセルにおいてトラン
スポートブロックが送信され、且つ、スケジューリング要求が負のスケジューリング要求である、且つ、前記トランスポートブロックに対するＨＡＲＱ−ＡＣＫと前記スケジューリング要求がサブフレームｎにおいて送信される場合、前記セカンダリセルにおけるサブフレームｑが第１の所定のサブフレームの何れでもない場合、第１の送信方法を選択し、前記セカンダリセルにおけるサブフレームｊが第１の所定のサブフレームの何れかである場合、第２の送信方法を選択し、選択された送信方法を用いてＨＡＲＱ−ＡＣＫ送信のためのＰＵＣＣＨリソースにおいて第１のＨＡＲＱ−ＡＣＫを受信する受信ステップと、を備え、前記第１の送信方法はＦＤＤに対するチャネル選択をともなうＰＵＣＣＨフォーマット１ｂをともなうＨＡＲＱ−ＡＣＫの送信方法であり、前記第２の送信方法はＦＤＤに対するＰＵＣＣＨフォーマット１ａまたは１ｂをともなうＨＡＲＱ−ＡＣＫの送信方法であり、前記サブフレームｑは、前記端末装置１に前記セカンダリセルに対する上位層のパラメータｓｈｏｒｔＰｒｏｃｅｓｓｉｎｇＴｉｍｅが設定されない場合、ｎ−４で与えられ、前記端末装置１に前記セカンダリセルに対する上位層のパラメータｓｈｏｒｔＰｒｏｃｅｓｓｉｎｇＴｉｍｅが設定されている場合、ｎ−３で与えられる。
【発明の効果】
【００１０】
この発明によれば、端末装置は効率的に上りリンク制御情報を送信することができる。また、基地局装置は効率的に上りリンク制御情報を受信することができる。
【図面の簡単な説明】
【００１１】
【図１】本実施形態の無線通信システムの概念図である。
【図２】本実施形態の無線フレームの概略構成を示す図である。
【図３】本実施形態における上りリンクスロットの概略構成を示す図である。
【図４】本実施形態におけるＨＡＲＱ−ＡＣＫの送信タイミングの一例を示す図である。
【図５】本実施形態におけるＨＡＲＱ−ＡＣＫ（ｊ）とトランスポートブロックの対応の一例を示す図である。
【図６】本実施形態のスケジューリング要求が負のスケジューリング要求である場合における、サブフレーム４０３におけるＨＡＲＱ−ＡＣＫの送信方法を選択するためのフロー図である。
【図７】本実施形態の図６のＳ６００におけるサブフレームｑとサブフレームｎの関係の一例を示す図である。
【図８】本実施形態の図６のＳ６０１におけるＨＡＲＱ−ＡＣＫ送信方法を選択する一例を示す図である。
【図９】本実施形態における第１の送信方法に関するＨＡＲＱ−ＡＣＫ（ｊ）とＰＵＣＣＨリソースｎ（１）ｓＰＵＣＣＨとｂ（０）ｂ（１）の対応の一例を示す図である。
【図１０】本実施形態における第２の送信方法に関する動作の一例を示す図である。
【図１１】本実施形態のスケジューリング要求が正のスケジューリング要求である場合における、プライマリセルサブフレームｉ＋ｋｐｐにおけるＨＡＲＱ−ＡＣＫの送信方法を選択するためのフロー図である。
【図１２】本実施形態の図１１のＳ１１００におけるサブフレームｉとサブフレームｊの関係の一例を示す図である。
【図１３】本実施形態の図１２における種々のケースのそれぞれに対応する例を示す図である。
【図１４】本実施形態の図１１のＳ１１０１におけるＨＡＲＱ−ＡＣＫ送信方法を選択する一例を示す図である。
【図１５】本実施形態における第１の送信方法における規則（２）に関する動作の一例を示す図である。
【図１６】本実施形態の正のスケジューリング要求である場合における、プライマリセルサブフレームｉ＋ｋｐｐにおけるＨＡＲＱ−ＡＣＫの送信方法を選択するための別のフロー図である。
【図１７】本発明における端末装置１の構成を示す概略ブロック図である。
【図１８】本発明における基地局装置３の構成を示す概略ブロック図である。
【発明を実施するための形態】
【００１２】
以下、本発明の実施形態について説明する。
【００１３】
図１は、本実施形態の無線通信システムの概念図である。図１において、無線通信システムは、端末装置１Ａ〜１Ｃ、および基地局装置３を具備する。以下、端末装置１Ａ〜１Ｃを端末装置１という。
【００１４】
以下、キャリアアグリゲーションについて説明する。
【００１５】
本実施形態では、端末装置１は、２つのサービングセルが設定される。端末装置１が複数のサービングセルを介して通信する技術をセルアグリゲーション、またはキャリアアグリゲーションと称する。２つのサービングセルは、１つのプライマリセルを含む。２つのサービングセルは、１つのセカンダリセルを含む。プライマリセルは、初期コネクション確立（initial connection establishment）手順が行なわれたサービングセル、コネクション再確立（connection re-establishment）手順を開始したサービングセル、または、
ハンドオーバ手順においてプライマリセルと指示されたセルである。ＲＲＣ（Radio ResourceControl）コネクションが確立された時点、または、後に、セカンダリセルが設定されてもよい。本実施形態において、プライマリセルに対してＦＤＤ（Frequency Division
Duplex）が適用されてもよい。セカンダリセルに対してＴＤＤ（Time Division Duplex
）が適用されてもよい。
【００１６】
下りリンクにおいて、サービングセルに対応するキャリアを下りリンクコンポーネントキャリアと称する。上りリンクにおいて、サービングセルに対応するキャリアを上りリンクコンポーネントキャリアと称する。下りリンクコンポーネントキャリア、および、上りリンクコンポーネントキャリアを総称して、コンポーネントキャリアと称する。
【００１７】
端末装置１は、複数のサービングセル（コンポーネントキャリア）において同時に複数の物理チャネルでの送信、および／または受信を行うことができる。１つの物理チャネルは、複数のサービングセル（コンポーネントキャリア）のうち１つのサービングセル（コンポーネントキャリア）において送信される。
【００１８】
本実施形態の物理チャネルおよび物理信号について説明する。
【００１９】
図１において、端末装置１から基地局装置３への上りリンクの無線通信では、以下の上りリンク物理チャネルが用いられる。上りリンク物理チャネルは、上位層から出力された情報を送信するために使用される。
・ＰＵＣＣＨ（Physical Uplink Control Channel）
・ＰＵＳＣＨ（Physical Uplink Shared Channel）
【００２０】
ＰＵＣＣＨは、上りリンク制御情報（Uplink Control Information: UCI）を送信する
ために用いられる。１つのＰＵＣＣＨは１つのサブフレームにおいて送信される。本実施形態において、端末装置１は、プライマリセルのみにおいてＰＵＣＣＨの送信を行ってもよい。
【００２１】
上りリンク制御情報は、下りリンクのチャネル状態情報（Channel State Information:
CSI）、ＰＵＳＣＨリソースの要求を示すスケジューリング要求（Scheduling Request: 
SR）、下りリンクデータ（Transport block, Medium Access ControlProtocol Data Unit: MAC PDU, Downlink-Shared Channel: DL-SCH, Physical DownlinkShared Channel: PDSCH）に対するＨＡＲＱ−ＡＣＫ（Hybrid AutomaticRepeat request ACKnowledgement
）を含む。ＨＡＲＱ−ＡＣＫは、ＡＣＫ（acknowledgement）またはＮＡＣＫ（negative-acknowledgement）を示す。
【００２２】
ＨＡＲＱ−ＡＣＫを、ＡＣＫ／ＮＡＣＫ、ＨＡＲＱフィードバック、ＨＡＲＱ−ＡＣＫフィードバック、ＨＡＲＱ応答、ＨＡＲＱ−ＡＣＫ応答、ＨＡＲＱ情報、ＨＡＲＱ−ＡＣＫ情報、ＨＡＲＱ制御情報、および、ＨＡＲＱ−ＡＣＫ制御情報とも称する。下りリンクデータが成功裏に復号された場合、該下りリンクデータに対するＡＣＫが生成される。下りリンクデータが成功裏に復号されなかった場合、該下りリンクデータに対するＮＡＣＫが生成される。ＤＴＸ（discontinuous transmission）は、下りリンクデータを検出しなかったことを意味してもよい。ＤＴＸ（discontinuous transmission）は、ＨＡＲＱ−ＡＣＫ応答を送信するべきデータを検出しなかったことを意味してもよい。
【００２３】
スケジューリング要求は、正のスケジューリング要求（positive scheduling request
）、または、負のスケジューリング要求（negative scheduling request）を含む。正の
スケジューリング要求は、初期送信のためのＵＬ−ＳＣＨリソースを要求することを示す。負のスケジューリング要求は、初期送信のためのＵＬ−ＳＣＨリソースを要求しないことを示す。端末装置１は、正のスケジューリング要求を送信するかどうかを決定してもよい。スケジューリング要求が負のスケジューリング要求であることは、端末装置１が正のスケジューリング要求を送信しないと決定したことを意味してもよい。
【００２４】
ＰＵＣＣＨフォーマット１は、正のスケジューリング要求を送信するために用いられる。ＰＵＣＣＨフォーマット１は、負のスケジューリング要求を送信するために用いられない。ＰＵＣＣＨフォーマット１ａは、１ビットのＨＡＲＱ−ＡＣＫを送信するために用いられる。ＰＵＣＣＨフォーマット１ｂは、２ビットのＨＡＲＱ−ＡＣＫを送信するために用いられる。チャネル選択をともなうＰＵＣＣＨフォーマット１ｂ（PUCCH format 1b with channel selection）は、端末装置に１つより多いサービングセルを設定される場合に４ビットまでのＨＡＲＱ−ＡＣＫを送信するために用いられる。チャネル選択は、複数のＰＵＣＣＨリソースのうち、何れか１つを選択することによって、同じビットの値であっても、その解釈を変えることができる。例えば、第１のＰＵＣＣＨリソースと第２のＰＵＣＣＨリソースで、同じビットの値であっても、その示す内容は異なってもよい。チャネル選択により、複数のＰＵＣＣＨリソースを用いることによって、ＨＡＲＱ−ＡＣＫを拡張することができる。本実施形態において、２つのサービングセルが設定される端末装置１は、チャネル選択をともなうＰＵＣＣＨフォーマット１ｂを用いてＨＡＲＱ−ＡＣＫのみを送信する。
【００２５】
ＰＵＳＣＨは、上りリンクデータ（Transport block, Medium Access ControlProtocol Data Unit: MAC PDU, Uplink-Shared Channel: UL-SCH）を送信するために用いられて
もよい。ＰＵＳＣＨは、上りリンクデータと共にＨＡＲＱ−ＡＣＫおよび／またはチャネル状態情報を送信するために用いられてもよい。また、ＰＵＳＣＨはチャネル状態情報のみ、または、ＨＡＲＱ−ＡＣＫおよびチャネル状態情報のみを送信するために用いられてもよい。
【００２６】
図１において、基地局装置３から端末装置１への下りリンクの無線通信では、以下の下りリンク物理チャネルが用いられる。下りリンク物理チャネルは、上位層から出力された情報を送信するために使用される。
・ＰＣＦＩＣＨ（Physical Control Format Indicator Channel）
・ＰＤＣＣＨ（Physical Downlink Control Channel）
・ＥＰＤＣＣＨ（Enhanced Physical Downlink Control Channel）
・ＰＤＳＣＨ（Physical Downlink Shared Channel）
【００２７】
ＰＣＦＩＣＨは、ＣＦＩ（Control Format Indicator）を送信するために用いられる。ＣＦＩは、ＰＤＣＣＨの送信に用いられる領域（ＯＦＤＭシンボル）、および／または、ＰＤＳＣＨの送信に用いられる領域（ＯＦＤＭシンボル）に関する情報である。
【００２８】
ＰＤＣＣＨ、および、ＥＰＤＣＣＨは、下りリンク制御情報（Downlink Control Information:DCI）を送信するために用いられる。下りリンク制御情報を、ＤＣＩフォーマッ
トとも称する。下りリンク制御情報は、下りリンクグラント（downlink grant）および上りリンクグラント（uplink grant）を含む。下りリンクグラントは、下りリンクアサインメント（downlinkassignment）または下りリンク割り当て（downlink allocation）とも称する。
【００２９】
１つのＰＤＣＣＨで送信される下りリンク制御情報に付加されるＣＲＣ（Cyclic RedundancyCheck）パリティビットは、Ｃ−ＲＮＴＩ（Cell-Radio Network TemporaryIdentifier）、ＳＰＳ（Semi Persistent Scheduling）Ｃ−ＲＮＴＩ、または、Ｔｅｍｐｏｒａｒｙ  Ｃ−ＲＮＴＩでスクランブルされる。Ｃ−ＲＮＴＩおよびＳＰＳ  Ｃ−ＲＮＴＩは、セル内において端末装置を識別するための識別子である。Ｔｅｍｐｏｒａｒｙ  Ｃ−ＲＮＴＩは、コンテンションベースランダムアクセス手順（contention based random access procedure）中に、ランダムアクセスプリアンブルを送信した端末装置１を識別するための識別子である。
【００３０】
Ｃ−ＲＮＴＩおよびＴｅｍｐｏｒａｒｙ  Ｃ−ＲＮＴＩは、単一のサブフレームにおけるＰＤＳＣＨ送信またはＰＵＳＣＨ送信を識別するために用いられる。ＳＰＳ  Ｃ−ＲＮＴＩは、ＰＤＳＣＨまたはＰＵＳＣＨのリソースを周期的に割り当てるために用いられる。
【００３１】
以下、明示されない限り、本実施形態において下りリンク制御情報に付加されるＣＲＣパリティビットは、Ｃ−ＲＮＴＩによってスクランブルされている。
【００３２】
ＰＤＣＣＨは、ＰＤＣＣＨ候補において送信される。端末装置１は、サービングセルにおいてＰＤＣＣＨ候補（candidate）のセットをモニタする。ＰＤＣＣＨ候補のセットを
サーチスペースと称する。サーチスペースは、コモンサーチスペース（Common Search Space,CSS）、および、ＵＥ固有サーチスペース（UE-specific Search Space, USS）を少
なくとも含む。ＵＥ固有サーチスペースは、少なくとも、端末装置１がセットしているＣ−ＲＮＴＩの値から導き出される。すなわち、ＵＥ固有サーチスペースは、端末装置１毎に個別に導き出される。コモンサーチスペースは、複数の端末装置１の間で共通のサーチスペースであり、予め定められたインデックスのＣＣＥ（Control Channel Element）か
ら構成される。ＣＣＥは、複数のリソースエレメントから構成される。モニタすることは、あるＤＣＩフォーマットに応じてＰＤＣＣＨのデコードを試みることを意味する。コモンサーチスペースは、プライマリセルに含まれる。コモンサーチスペースは、セカンダリセルには含まれない。端末装置１は、プライマリセルのみにおいてコモンサーチスペースをモニタしてもよい。
【００３３】
１つの下りリンクグラントは、１つのセル内の１つのＰＤＳＣＨのスケジューリングに用いられてもよい。下りリンクグラントは、該下りリンクグラントが送信されたサブフレームと同じサブフレーム内のＰＤＳＣＨのスケジューリングに用いられてもよい。
【００３４】
１つの上りリンクグラントは、１つのセル内の１つのＰＵＳＣＨのスケジューリングに
用いられてもよい。上りリンクグラントは、該上りリンクグラントが送信されたサブフレームより４つ以上後のサブフレーム内の１つのＰＵＳＣＨのスケジューリングに用いられてもよい。
【００３５】
ＰＤＳＣＨは、下りリンクデータ（Downlink Shared Channel: DL-SCH）を送信するた
めに用いられる。
【００３６】
ＵＬ−ＳＣＨおよびＤＬ−ＳＣＨは、トランスポートチャネルである。媒体アクセス制御（Medium AccessControl: MAC）層で用いられるチャネルをトランスポートチャネルと称する。ＭＡＣ層で用いられるトランスポートチャネルの単位を、トランスポートブロック（transport block: TB）またはＭＡＣ  ＰＤＵ（Protocol DataUnit）とも称する。
ＭＡＣ層においてトランスポートブロック毎にＨＡＲＱ（Hybrid Automatic Repeat reQuest）の制御が行なわれる。トランスポートブロックは、ＭＡＣ層が物理層に渡す（deliver）データの単位である。物理層において、トランスポートブロックはコードワードにマップされ、コードワード毎に変調処理、および、符号化処理が行なわれる。１つのコードワードは、１つ、または、複数のレイヤにマップされる。
【００３７】
以下、本実施形態の無線フレーム（radio frame）の構成の一例について説明する。図
２は、本実施形態の無線フレームの概略構成を示す図である。無線フレームのそれぞれは、１０ｍｓ長である。図２において、横軸は時間軸である。また、無線フレームのそれぞれは１０のサブフレームから構成される。サブフレームのそれぞれは、１ｍｓ長であり、２つの連続するスロットによって定義される。スロットのそれぞれは、０．５ｍｓ長である。つまり、１０ｍｓ間隔のそれぞれにおいて、１０個のサブフレームが利用できる。サブフレームをＴＴＩ（Transmission Time Intervalとも称する。）
【００３８】
以下、本実施形態のスロットの構成の一例について説明する。図３は、本実施形態における上りリンクスロットの概略構成を示す図である。図３において、１つのセルにおける上りリンクスロットの構成を示す。図３において、横軸は時間軸であり、縦軸は周波数軸である。図３において、ｌはＳＣ−ＦＤＭＡシンボル番号／インデックスであり、ｋはサブキャリア番号／インデックスである。
【００３９】
スロットのそれぞれにおいて送信される物理シグナルまたは物理チャネルは、リソースグリッドによって表現される。上りリンクにおいて、リソースグリッドは複数のサブキャリアと複数のＳＣ−ＦＤＭＡシンボルによって定義される。リソースグリッド内のエレメントのそれぞれをリソースエレメントと称する。リソースエレメントは、サブキャリア番号／インデックスｋ、および、ＳＣ−ＦＤＭＡシンボル番号／インデックスｌによって表される。
【００４０】
上りリンクスロットは、時間領域において、複数のＳＣ−ＦＤＭＡシンボルｌ（l=0,1,…,NULsymb）を含む。NULsymbは、１つの上りリンクスロットに含まれるＳＣ−ＦＤＭＡ
シンボルの数を示す。上りリンクにおけるノーマルＣＰ（normal Cyclic Prefix）に対して、NULsymbは７である。上りリンクにおける拡張ＣＰ（extended ＣＰ）に対して、NULsymbは６である。本実施形態では、上りリンクおよび下りリンクに対して、ＣＰ長はノー
マルＣＰである。
【００４１】
上りリンクスロットは、周波数領域において、複数のサブキャリアｋ（k=0,1,…,NULRB×NRBsc)を含む。NULRBは、NRBscの倍数によって表現される、サービングセルに対する上りリンク帯域幅設定である。NRBscは、サブキャリアの数によって表現される、周波数領
域における（物理）リソースブロックサイズである。サブキャリア間隔Δfは１５ｋＨｚ
であり、NRBscは１２であってもよい。すなわち、NRBscは、１８０ｋＨｚであってもよい
。サブキャリア間隔Δfはチャネル毎、および／または、ＴＴＩ／ｓＴＴＩ毎に異なって
もよい。
【００４２】
リソースブロックは、物理チャネルのリソースエレメントへのマッピングを表すために用いられる。リソースブロックは、仮想リソースブロックと物理リソースブロックが定義される。物理チャネルは、まず仮想リソースブロックにマップされる。その後、仮想リソースブロックは、物理リソースブロックにマップされる。１つの物理リソースブロックは、時間領域においてNULsymbの連続するＳＣ−ＦＤＭＡシンボルと周波数領域においてNRBscの連続するサブキャリアとから定義される。ゆえに、１つの物理リソースブロックは（NULsymb×NRBsc）のリソースエレメントから構成される。１つの物理リソースブロックは、時間領域において１つのスロットに対応する。物理リソースブロックは周波数領域において、周波数の低いほうから順に番号（0,1,…, NULRB -1）が付けられる。
【００４３】
本実施形態における下りリンクのスロットは、複数のＯＦＤＭシンボルを含む。本実施形態における下りリンクのスロットの構成は、リソースグリッドが複数のサブキャリアと複数のＯＦＤＭシンボルによって定義される
点を除いて基本的に上りリンクスロットと同じであるため、下りリンクのスロットの構成の説明は省略する。
【００４４】
本実施形態において、プライマリセルとセカンダリセルはプライマリＰＵＣＣＨグループに含まれる。すなわち、本実施形態において、セカンダリセルにおいて受信されたトランスポートブロックに対するＨＡＲＱ−ＡＣＫはプライマリセルにおいて送信される。
【００４５】
以下は、本実施形態においてＨＡＲＱ−ＡＣＫの送信タイミングについて説明する。
【００４６】
本実施形態において、端末装置１がサブフレームｎ−ｋｐにおけるＰＤＳＣＨを検出した場合、端末装置１は、サブフレームｎにおいて、ＰＤＳＣＨに対するＨＡＲＱ−ＡＣＫを送信する。即ち、ＰＤＳＣＨに対するＨＡＲＱ−ＡＣＫの送信タイミングはＰＤＳＣＨが送信されたサブフレームよりｋｐ後のサブフレームである。言い換えると、端末装置１がサブフレームｎにおけるＰＤＳＣＨを検出した場合、端末装置１は、サブフレームｎ＋ｋｐにおいて、ＰＤＳＣＨに対するＨＡＲＱ−ＡＣＫを送信する。ｋｐの値は、サービングセル毎に設定されてもよい。サービングセルｃに対するｋｐをｋｐｃとも称する。プライマリセルに対するｋｐをｋｐｐとも称する。セカンダリセルに対するｋｐをｋｐｓとも称する。端末装置１がプライマリセルにおけるサブフレームｎ−ｋｐｐにおけるＰＤＳＣＨを検出した場合、端末装置１は、サブフレームｎにおいて、ＰＤＳＣＨに対するＨＡＲＱ−ＡＣＫを送信する。端末装置１がセカンダリセルにおけるサブフレームｎ−ｋｐｓにおけるＰＤＳＣＨを検出した場合、端末装置１は、サブフレームｎにおいて、ＰＤＳＣＨに対するＨＡＲＱ−ＡＣＫを送信する。
【００４７】
本実施形態において、プライマリセルセルにおけるＰＤＳＣＨに対するＨＡＲＱ−ＡＣＫの送信タイミングは、該プライマリセルに上位層のパラメータｓｈｏｒｔＰｒｏｃｅｓｓｉｎｇＴｉｍｅが設定されているかどうか、および／または、プライマリセルにおけるＰＤＳＣＨをスケジュールするために用いられるＰＤＣＣＨが何れかのサーチスペースで送信されるかどうかに少なくとも基づいて与えられてもよい。
【００４８】
即ち、端末装置１にプライマリセルに対する上位層のパラメータ（ＲＲＣ層のパラメータ）ｓｈｏｒｔＰｒｏｃｅｓｓｉｎｇＴｉｍｅが設定されていない場合、プライマリセルに対するｋｐ（ｋｐｐ）は４であってもよい。また、端末装置１にプライマリセルに対する上位層のパラメータｓｈｏｒｔＰｒｏｃｅｓｓｉｎｇＴｉｍｅが設定されている場合、且つ、プライマリセルにおけるサブフレームｎにおけるＰＤＳＣＨをスケジュールするた
めに用いられるＰＤＣＣＨがプライマリセルにおけるコモンサーチスペースにマップされる（送信される）場合、プライマリセルに対するｋｐ（ｋｐｐ）は４であってもよい。また、端末装置１にプライマリセルに対する上位層のパラメータｓｈｏｒｔＰｒｏｃｅｓｓｉｎｇＴｉｍｅが設定されている場合、且つ、プライマリセルにおけるサブフレームｎにおけるＰＤＳＣＨをスケジュールするために用いられるＰＤＣＣＨがプライマリセルにおけるＵＥ固有サーチスペースにマップされる場合、プライマリセルに対するｋｐ（ｋｐｐ）は３であってもよい。
【００４９】
また、本実施形態において、ＴＤＤが適用されているセカンダリセルにおけるＰＤＳＣＨに対するＨＡＲＱ−ＡＣＫの送信タイミングは、該セカンダリセルに上位層のパラメータｓｈｏｒｔＰｒｏｃｅｓｓｉｎｇＴｉｍｅが設定されているかどうかに少なくとも基づいて、与えられてもよい。
【００５０】
即ち、端末装置１にセカンダリセルに対する上位層のパラメータ（ＲＲＣ層のパラメータ）ｓｈｏｒｔＰｒｏｃｅｓｓｉｎｇＴｉｍｅが設定されていない場合、セカンダリセルに対するｋｐ（ｋｐｓ）は４であってもよい。また、端末装置１にセカンダリセルに対する上位層のパラメータｓｈｏｒｔＰｒｏｃｅｓｓｉｎｇＴｉｍｅが設定されている場合、セカンダリセルに対するｋｐ（ｋｐｓ）は４であってもよい。
【００５１】
本実施形態において、あるサービングセルに対する上位層のパラメータｓｈｏｒｔＰｒｏｃｅｓｓｉｎｇＴｉｍｅが設定される端末装置１は、該サービングセルにおいてＥＰＤＣＣＨをモニタしなくてもよい。
【００５２】
図４は、本実施形態におけるＨＡＲＱ−ＡＣＫの送信タイミングの一例を示す図である。基地局装置３は、サブフレーム４００におけるプライマリセルにおいてＰＤＳＣＨ４２０を送信してもよい。基地局装置３は、サブフレーム４１０におけるセカンダリセルにおいてＰＤＳＣＨ４３０を送信してもよい。ＰＤＳＣＨ４２０は２つのトランスポートブロック４２１、４２２を含む。ＰＤＳＣＨ４３０は２つのトランスポートブロック４３１、４３２を含む。
【００５３】
端末装置１は、プライマリセルにおけるサブフレーム４０３において、ＰＵＣＣＨリソース４４０、または、ＰＵＣＣＨリソース４５０を用いて、ＰＤＳＣＨ４２０および／またはＰＤＳＣＨ４３０に対するＨＡＲＱ−ＡＣＫを送信する。即ち、端末装置１は、プライマリセルにおけるサブフレーム４０３において、ＰＵＣＣＨリソース４４０、または、ＰＵＣＣＨリソース４５０を用いて、トランスポートブロック４２１、４２２、４３１、４３２に対するＨＡＲＱ−ＡＣＫを送信する。ここで、サブフレーム４００は、ＨＡＲＱ−ＡＣＫ送信が行われるサブフレーム４０３よりｋｐｐ個前のサブフレームである。サブフレーム４１０は、ＨＡＲＱ−ＡＣＫ送信が行われるサブフレーム４０３よりｋｐｓ個前のサブフレームである。ｋｐｐの値とｋｐｓの値は、上述した方法に基づいて決定されてもよい。プライマリセルに対応するｋｐｐの値とセカンダリセルに対応するｋｐｓの値とが同一である場合、セカンダリセルにおけるサブフレーム４１０はセカンダリセルにおけるサブフレーム４００である。
【００５４】
サブフレーム４０３において、ＰＵＣＣＨリソース４４０はＨＡＲＱ−ＡＣＫのための４つのＰＵＣＣＨリソース｛ｎ（１）ＰＵＣＣＨ，０、ｎ（１）ＰＵＣＣＨ，１、ｎ（１）ＰＵＣＣＨ，２、ｎ（１）ＰＵＣＣＨ，３｝を含んでもよい。ＰＵＣＣＨリソース４５０はスケジューリング要求のための１つのＰＵＣＣＨリソース｛ｎ（１）ＰＵＣＣＨ、ＳＲＩ｝である。ＨＡＲＱ−ＡＣＫのためのＰＵＣＣＨリソースを、ＨＡＲＱ−ＡＣＫ  ＰＵＣＣＨリソースとも称する。スケジューリング要求のためのＰＵＣＣＨリソースをＳＲ
ＰＵＣＣＨリソースとも称する。
【００５５】
基地局装置３は、ＨＡＲＱ−ＡＣＫ  ＰＵＣＣＨリソース４４０｛ｎ（１）ＰＵＣＣＨ，０、ｎ（１）ＰＵＣＣＨ，１、ｎ（１）ＰＵＣＣＨ，２、ｎ（１）ＰＵＣＣＨ，３｝を決定するためのＲＲＣ層のパラメータを含む情報を、端末装置１に送信してもよい。基地局装置３は、ＳＲ  ＰＵＣＣＨリソース４５０｛ｎ（１）ＰＵＣＣＨ、ＳＲＩ｝を示すためのＲＲＣ層のパラメータを含む情報を、端末装置１に送信してもよい。
【００５６】
本実施形態において、同じサブフレームでＨＡＲＱ−ＡＣＫとスケジューリング要求の両方が送信される場合、端末装置１は、負のスケジューリングリクエストに対して、ＨＡＲＱ−ＡＣＫ  ＰＵＣＣＨリソース４４０でＨＡＲＱ−ＡＣＫを送信する。同じサブフレームでＨＡＲＱ−ＡＣＫとスケジューリング要求の両方が送信され、且つ、スケジューリングリクエストが負のスケジューリングリクエストである場合、端末装置１は、割り当てられたＨＡＲＱ−ＡＣＫ  ＰＵＣＣＨリソース４４０でＨＡＲＱ−ＡＣＫを送信する。
【００５７】
本実施形態において、同じサブフレームでＨＡＲＱ−ＡＣＫとスケジューリング要求の両方が送信される場合、端末装置１は、正のスケジューリングリクエストに対して、ＳＲ
ＰＵＣＣＨリソース４５０でＨＡＲＱ−ＡＣＫを送信してもよい。同じサブフレームでＨＡＲＱ−ＡＣＫとスケジューリング要求の両方が送信され、且つ、スケジューリングリクエストが正のスケジューリングリクエストである場合、端末装置１は、割り当てられたＳＲ  ＰＵＣＣＨリソース４５０でＨＡＲＱ−ＡＣＫを送信する。
【００５８】
図５は、本実施形態におけるＨＡＲＱ−ＡＣＫ（ｊ）とトランスポートブロックの対応の一例を示す図である。図５において、ＨＡＲＱ−ＡＣＫ（０）はトランスポートブロック４２１に対応し、ＨＡＲＱ−ＡＣＫ（１）はトランスポートブロック４２２に対応し、ＨＡＲＱ−ＡＣＫ（２）はトランスポートブロック４３１に対応し、且つ、ＨＡＲＱ−ＡＣＫ（３）はトランスポートブロック４３２に対応する。
【００５９】
以下、本実施形態において、スケジューリング要求が負のスケジューリング要求であり、且つ、プライマリセルにおけるサブフレームｎ―ｋｐｐにおいて検出したトランスポートブロックに対するＨＡＲＱ−ＡＣＫをプライマリセルにおけるサブフレームｎで送信する場合における、ＨＡＲＱ−ＡＣＫの送信方法の決定方法について説明する。
【００６０】
図６は、本実施形態のスケジューリング要求が負のスケジューリング要求である場合における、サブフレーム４０３におけるＨＡＲＱ−ＡＣＫの送信方法を選択するためのフロー図である。
【００６１】
図６において、サブフレーム４０３はサブフレームｎと称されてもよい。ＰＤＳＣＨ４２０はプライマリセルにおけるサブフレームｎ−ｋｐｐにおいて受信されてもよい。ＰＤＳＣＨ４３０はセカンダリセルにおけるサブフレームｑにおいて受信されてもよい。つまり、ＰＤＳＣＨ４３０はセカンダリセルにおけるサブフレームｎ−ｋｐｓにおいて受信されてもよい。図６において、スケジューリング要求が負のスケジューリング要求である場合、端末装置１は、プライマリセルにおけるサブフレームｎにおいて割り当てられるＨＡＲＱ−ＡＣＫ  ＰＵＣＣＨリソース４４０を用いてＨＡＲＱ−ＡＣＫを送信する。即ち、図６は、スケジューリング要求が負のスケジューリングであり、且つ、プライマリセルにおけるサブフレームｎ−ｋｐｐにおいて検出したトランスポートブロックに対するＨＡＲＱ−ＡＣＫをサブフレームｎで送信する場合における、ＨＡＲＱ−ＡＣＫの送信方法の決定方法を示す図である。本実施形態において、サブフレームｑは、サブフレームｎ−４とサブフレームｎ−３の内、何れかに置き換えられてもよい。
【００６２】
（Ｓ６００）端末装置１は、サブフレームｑを決定する。端末装置１は、サブフレーム
ｑとサブフレームｎの関係を所定の条件に基づいて決定してもよい。ここで、Ｓ６００における所定の条件の詳細は、図７で説明する。
【００６３】
（Ｓ６０１）端末装置１は、チャネル選択を伴うＰＵＣＣＨフォーマット１ｂを用いるサブフレームｎにおけるＨＡＲＱ−ＡＣＫ送信に対して、セカンダリセルにおけるサブフレームｑが第１の所定のサブフレームであるかどうかに少なくとも基づいて、Ｓ６０２とＳ６０３の内、何れかの処理を行う。Ｓ６０１の詳細は、図８で説明する。
【００６４】
（Ｓ６０２）端末装置１は、プライマリセルにおけるサブフレームｎにおいてＨＡＲＱ−ＡＣＫ  ＰＵＣＣＨリソース４４０を用いてＨＡＲＱ−ＡＣＫを送信する。端末装置１は、ＨＡＲＱ−ＡＣＫ  ＰＵＣＣＨリソース４４０において第１の送信方法（ＦＤＤに対するチャネル選択をともなうＰＵＣＣＨフォーマット１ｂをともなうＨＡＲＱ−ＡＣＫの送信方法）を用いてＨＡＲＱ−ＡＣＫを送信する。端末装置１は、セカンダリセルにおけるサブフレームｑにおいてＰＤＳＣＨを受信してもよい。端末装置１は、セカンダリセルにおけるサブフレームｑにおいてＰＤＳＣＨを受信しなくてもよい。
【００６５】
（Ｓ６０３）端末装置１は、プライマリセルにおけるサブフレームｎにおいてＨＡＲＱ−ＡＣＫ  ＰＵＣＣＨリソース４４０Ａを用いてＨＡＲＱ−ＡＣＫを送信する。ここで、ＨＡＲＱ−ＡＣＫ  ＰＵＣＣＨリソース４４０Ａは、ＨＡＲＱ−ＡＣＫ  ＰＵＣＣＨリソース４４０の一部であってもよい。端末装置１は、ＨＡＲＱ−ＡＣＫ  ＰＵＣＣＨリソース４４０Ａにおいて第２の送信方法（ＦＤＤに対するＰＵＣＣＨフォーマット１ａまたは１ｂをともなうＨＡＲＱ−ＡＣＫの送信方法）を用いてＨＡＲＱ−ＡＣＫを送信する。端末装置１は、セカンダリセルにおけるサブフレームｑにおいてＰＤＳＣＨを受信しない。
【００６６】
基地局装置３は、ＰＵＣＣＨ４４０においてＨＡＲＱ−ＡＣＫを受信したことに基づいて、スケジューリング要求が負のスケジューリング要求であると判断してもよい。
【００６７】
図７は、本実施形態の図６のＳ６００におけるサブフレームｑとサブフレームｎの関係の一例を示す図である。
【００６８】
図７において、サブフレームｑは、端末装置１にセカンダリセルに対する上位層のパラメータｓｈｏｒｔＰｒｏｃｅｓｓｉｎｇＴｉｍｅが設定されているかどうかに基づいて与えられてもよい。例えば、（Ｃａｓｅ  ＡＡＡ）端末装置１にセカンダリセルに対する上位層のパラメータｓｈｏｒｔＰｒｏｃｅｓｓｉｎｇＴｉｍｅが設定されない場合、ｑはｎ−４である。即ち、この場合、セカンダリセルにおけるサブフレームｑはＨＡＲＱ−ＡＣＫ送信が行われるサブフレームｎより４個前のサブフレームである。また、（Ｃａｓｅ  ＢＢＢ）端末装置１にセカンダリセルに対する上位層のパラメータｓｈｏｒｔＰｒｏｃｅｓｓｉｎｇＴｉｍｅが設定されている場合、ｑはｎ−３である。即ち、この場合、セカンダリセルにおけるサブフレームｑはＨＡＲＱ−ＡＣＫ送信が行われるサブフレームｎより３個前のサブフレームである。ｑは、ｎ−ｋｐｓであってもよい。
【００６９】
図８は、本実施形態の図６のＳ６０１におけるＨＡＲＱ−ＡＣＫ送信方法を選択する一例を示す図である。図８において、チャネル選択を伴うＰＵＣＣＨフォーマット１ｂを用いるサブフレームｎにおけるＨＡＲＱ−ＡＣＫ送信に対して、セカンダリセルにおけるサブフレームｑが第１の所定のサブフレームの何れでもない場合、端末装置１はＳ６０２の処理を行う。また、チャネル選択を伴うＰＵＣＣＨフォーマット１ｂを用いるサブフレームｎにおけるＨＡＲＱ−ＡＣＫ送信に対して、セカンダリセルにおけるサブフレームｑが第１の所定のサブフレームの何れかである場合、端末装置１はＳ６０３の処理を行う。
【００７０】
ここで、第１の所定のサブフレームは、上りリンクサブフレームを含んでもよい。第１
の所定のサブフレームは所定の設定のスペシャルサブフレームを含んでもよい。所定の設定は、下りリンクのためにノーマルＣＰが設定された場合、コンフィギュレーション０または５であってもよい。所定の設定は、下りリンクのために拡張ＣＰが設定された場合、コンフィギュレーション０または４であってもよい。上りリンクサブフレームおよびスペシャルサブフレームは、上位層のパラメータＴＤＤ−ｃｏｎｆｉｇによって示されてもよい。スペシャルサブフレームは、ＤｗＰＴＳ（Downlink Pilot Time Slot）、ＧＰ（Guard Period）、およびＵｐＰＴＳ（Uplink Pilot Time Slot）から構成されてもよい。上位層のパラメータＴＤＤ−ｃｏｎｆｉｇは、スペシャルサブフレームのコンフィギュレーションを示す情報を含む。スペシャルサブフレームのコンフィギュレーションは、少なくともＤｗＰＴＳの長さ、ＧＰの長さ、および／または、ＵｐＰＴＳの長さに関連する。
【００７１】
以下、Ｓ６０２における第１の送信方法（ＦＤＤに対するチャネル選択をともなうＰＵＣＣＨフォーマット１ｂをともなうＨＡＲＱ−ＡＣＫの送信方法）について説明する。
【００７２】
第１の送信方法に対して、端末装置１はチャネル選択をともなうＰＵＣＣＨフォーマット１ｂを用いてサブフレームｎにおけるＰＵＣＣＨリソースｎ（１）ＰＵＣＣＨにおいてビットｂ（０）ｂ（１）を送信する。端末装置１は、ＨＡＲＱ−ＡＣＫ（０）、ＨＡＲＱ−ＡＣＫ（１）、ＨＡＲＱ−ＡＣＫ（２）、および、ＨＡＲＱ−ＡＣＫ（３）に応じて、ＨＡＲＱ−ＡＣＫ  ＰＵＣＣＨリソース４４０が含む４つのＰＵＣＣＨリソース｛ｎ（１）ＰＵＣＣＨ，０、ｎ（１）ＰＵＣＣＨ，１、ｎ（１）ＰＵＣＣＨ，２、ｎ（１）ＰＵＣＣＨ，３｝から１つのＰＵＣＣＨリソースｎ（１）ＰＵＣＣＨを選択してもよい。端末装置１は、ＨＡＲＱ−ＡＣＫ（０）、ＨＡＲＱ−ＡＣＫ（１）、ＨＡＲＱ−ＡＣＫ（２）、および、ＨＡＲＱ−ＡＣＫ（３）に応じて、ｂ（０）の値とｂ（１）の値をセットしてもよい。第１の送信方法において、端末装置１は、ｂ（０）とｂ（１）から１つのＱＰＳＫ変調シンボルを生成し、ＰＵＣＣＨフォーマット１ｂを用いて当該１つの変調シンボルを送信する。
【００７３】
図９は、本実施形態における第１の送信方法に関するＨＡＲＱ−ＡＣＫ（ｊ）とＰＵＣＣＨリソースｎ（１）ｓＰＵＣＣＨとｂ（０）ｂ（１）の対応の一例を示す図である。例えば、ＨＡＲＱ−ＡＣＫ（０）、ＨＡＲＱ−ＡＣＫ（１）、ＨＡＲＱ−ＡＣＫ（２）、および、ＨＡＲＱ−ＡＣＫ（３）のそれぞれがＡＣＫである場合、端末装置１は、ＰＵＣＣＨリソースｎ（１）ＰＵＣＣＨとしてｎ（１）ＰＵＣＣＨ，１を選択してもよく、且つ、ｂ（０）とｂ（１）のそれぞれを１にセットしてもよい。
【００７４】
即ち、第１の送信方法に対して、基地局装置３は、ＨＡＲＱ−ＡＣＫ  ＰＵＣＣＨリソースｎ（１）ＰＵＣＣＨにおいて検出したｂ（０）とｂ（１）に基づいて、ＰＤＳＣＨ４２０とＰＤＳＣＨ４３０のそれぞれに対応するＨＡＲＱ−ＡＣＫを知ることができる。具体的に言うと、基地局装置３は、ＨＡＲＱ−ＡＣＫ  ＰＵＣＣＨリソースｎ（１）ＰＵＣＣＨにおいて検出したｂ（０）とｂ（１）に基づいて、トランスポートブロック４２１、４２２、４３１、４３２のそれぞれに対するＨＡＲＱ−ＡＣＫを知ることができる。
【００７５】
以下、Ｓ６０３における第２の送信方法（ＦＤＤに対するＰＵＣＣＨフォーマット１ａまたは１ｂをともなうＨＡＲＱ−ＡＣＫの送信方法）について説明する。
【００７６】
スケジューリング要求が負のスケジューリング要求である場合、端末装置１はＰＵＣＣＨフォーマット１ａまたは１ｂを用いてサブフレームｎにおけるＰＵＣＣＨリソースｎ（１）ＰＵＣＣＨ（ＰＵＣＣＨ４４０Ａ）においてビットｂ（０）またはビットｂ（０）ｂ（１）を送信する。例えば、スケジューリング要求が負のスケジューリング要求である場合、端末装置１はＰＵＣＣＨフォーマット１ａを用いてサブフレームｎにおけるＰＵＣＣＨリソースｎ（１）ＰＵＣＣＨ（ＰＵＣＣＨ４４０Ａ）においてビットｂ（０）を送信し
てもよい。また、スケジューリング要求が負のスケジューリング要求である場合、端末装置１はＰＵＣＣＨフォーマット１ｂを用いてサブフレームｎにおけるＰＵＣＣＨリソースｎ（１）ＰＵＣＣＨ（ＰＵＣＣＨ４４０Ａ）においてビットｂ（０）ｂ（１）を送信してもよい。ＰＵＣＣＨリソースｎ（１）ＰＵＣＣＨ（ＰＵＣＣＨ４４０Ａ）は、（ｉ）プライマリセルにおけるサブフレームｎ−ｋｐｐ（サブフレーム４００）におけるＰＤＳＣＨをスケジュールするＰＤＣＣＨを構成するＣＣＥの内、最小（最初）のＣＣＥ番号と（ｉｉ）セル固有のパラメータ（上位層のパラメータ）とに少なくとも基づいて、与えられてもよい。ＰＵＣＣＨ４４０Ａは、ＰＵＣＣＨリソースｎ（１）ＰＵＣＣＨ，０であってもよい。
【００７７】
第２の送信方法に対して、送信されるＨＡＲＱ−ＡＣＫは、ＨＡＲＱ−ＡＣＫ（０）を含み、且つ、ＨＡＲＱ−ＡＣＫ（１）とＨＡＲＱ−ＡＣＫ（２）とＨＡＲＱ−ＡＣＫ（３）を含まなくてもよい。この場合、端末装置１は、ＰＵＣＣＨフォーマット１ａを用いてＨＡＲＱ−ＡＣＫの送信を行う。
【００７８】
第２の送信方法に対して、送信されるＨＡＲＱ−ＡＣＫは、ＨＡＲＱ−ＡＣＫ（０）とＨＡＲＱ−ＡＣＫ（１）を含み、且つ、ＨＡＲＱ−ＡＣＫ（２）とＨＡＲＱ−ＡＣＫ（３）を含まなくてもよい。この場合、端末装置１は、ＰＵＣＣＨフォーマット１ｂを用いてＨＡＲＱ−ＡＣＫの送信を行う。すなわち、第２の送信方法に対して、スケジューリング要求が負のスケジューリング要求であり、且つ、サブフレームｎにおいてＨＡＲＱ−ＡＣＫが送信される場合、端末装置１はＨＡＲＱ−ＡＣＫ  ＰＵＣＣＨリソース４４０Ａにおいてプライマリセルにおけるサブフレームｎ−ｋｐにおけるトランスポートブロック毎のＨＡＲＱ−ＡＣＫを送信する。
【００７９】
第２の送信方法に対して、基地局装置３は、ＨＡＲＱ−ＡＣＫ  ＰＵＣＣＨリソース４４０Ａにおいて検出したｂ（０）とｂ（１）に基づいて、ＰＤＳＣＨ４２０に対応するＨＡＲＱ−ＡＣＫを知ることができる。具体的に言うと、基地局装置３は、ＨＡＲＱ−ＡＣＫ  ＰＵＣＣＨリソースｎ（１）ＰＵＣＣＨにおいて検出したｂ（０）とｂ（１）に基づいて、トランスポートブロック４２１、４２２のそれぞれに対するＨＡＲＱ−ＡＣＫを知ることができる。
【００８０】
図１０は、本実施形態における第２の送信方法に関する動作の一例を示す図である。Ｓ１１ａにおいて、端末装置１はＨＡＲＱ−ＡＣＫ（０）をバイナリビットに符号化する。Ｓ１１ｂにおいて、端末装置１はＨＡＲＱ−ＡＣＫ（１）をバイナリビットに符号化する。トランスポート毎のＨＡＲＱ−ＡＣＫビットはＡＣＫまたはＮＡＣＫにセットされる。端末装置１は、ＡＣＫをバイナリ“１”として符号化し、且つ、ＮＡＣＫをバイナリ“０”として符号化する。
【００８１】
即ち、スケジューリング要求が負のスケジューリング要求であり、プライマリセルにおけるサブフレームｎ―ｋｐｐにおいてトランスポートブロックが検出され、且つ、トランスポートブロックに対するＨＡＲＱ−ＡＣＫとスケジューリング要求がプライマリセルサブフレームｎにおいて送信される場合、端末装置１は、セカンダリセルにおけるサブフレームｑが第１の所定のサブフレームであるかどうかに基づいて、第１の送信方法および第２の送信方法の何れかをＨＡＲＱ−ＡＣＫ送信方法として選択してもよい。端末装置１は、セカンダリセルにおけるサブフレームｑが第１の所定のサブフレームの何れでもない場合、第１の送信方法をＨＡＲＱ−ＡＣＫ送信方法として選択してもよい。端末装置１は、セカンダリセルにおけるサブフレームｑが第１の所定のサブフレームの何れかである場合、第２の送信方法をＨＡＲＱ−ＡＣＫ送信方法として選択してもよい。
【００８２】
即ち、スケジューリング要求が負のスケジューリング要求であり、プライマリセルにお
けるサブフレームｎ―ｋｐｐにおいてトランスポートブロックが検出され、且つ、トランスポートブロックに対するＨＡＲＱ−ＡＣＫとスケジューリング要求がプライマリセルサブフレームｎにおいて送信される場合、端末装置１は、セカンダリセルにおけるサブフレームが第１の所定のサブフレームであるかどうかに基づいて、第１の送信方法および第２の送信方法の何れかをＨＡＲＱ−ＡＣＫ送信方法として選択してもよい。端末装置１は、セカンダリセルにおけるサブフレームｎ−ｋｐｓが第１の所定のサブフレームの何れでもない場合、第１の送信方法をＨＡＲＱ−ＡＣＫ送信方法として選択してもよい。端末装置１は、セカンダリセルにおけるサブフレームｎ−ｋｐｓが第１の所定のサブフレームの何れかである場合、第２の送信方法をＨＡＲＱ−ＡＣＫ送信方法として選択してもよい。  
【００８３】
以下、本実施形態において、スケジューリング要求が正のスケジューリング要求であり、且つ、プライマリセルにおけるサブフレームｉにおいて検出したトランスポートブロックに対するＨＡＲＱ−ＡＣＫをプライマリセルサブフレームｉ＋ｋｐｐで送信する場合における、ＨＡＲＱ−ＡＣＫの送信方法の決定方法について説明する。
【００８４】
図１１は、本実施形態のスケジューリング要求が正のスケジューリング要求である場合における、プライマリセルサブフレームｉ＋ｋｐｐにおけるＨＡＲＱ−ＡＣＫの送信方法を選択するためのフロー図である。
【００８５】
図１１において、ＰＤＳＣＨ４２０はプライマリセルにおけるサブフレームｉにおいて受信されてもよい。ＰＤＳＣＨ４３０はセカンダリセルにおけるサブフレームｊにおいて受信されてもよい。図１１において、スケジューリング要求が正のスケジューリング要求である場合、端末装置１は、プライマリセルにおけるサブフレームｉ＋ｋｐｐにおいて割り当てられるＳＲ  ＰＵＣＣＨリソース４５０を用いてＨＡＲＱ−ＡＣＫを送信する。即ち、図１１は、スケジューリング要求が正のスケジューリングであり、且つ、プライマリセルにおけるサブフレームｉにおいて検出したトランスポートブロックに対するＨＡＲＱ−ＡＣＫを送信する場合における、ＨＡＲＱ−ＡＣＫの送信方法の決定方法を示す図である。本実施形態において、サブフレームｊはサブフレームｉ−１、サブフレームｉ、サブフレームｉ＋１の内、何れかに置き換えられてもよい。
【００８６】
（Ｓ１１００）端末装置１は、サブフレームｊを決定する。端末装置１は、サブフレームｉとサブフレームｊの関係を所定の条件に基づいて決定してもよい。ここで、Ｓ１１００における所定の条件の詳細は、図１２で説明する。
【００８７】
（Ｓ１１０１）端末装置１によってサブフレームｉにおけるプライマリセルにおいて１つまたは２つのトランスポートブロックが検出される場合、端末装置１は、セカンダリセルにおけるサブフレームｊが第１の所定のサブフレームであるかどうかに少なくとも基づいて、Ｓ１１０２とＳ１１０３の内、何れかの処理を行う。ここで、Ｓ１１０１の詳細は、図１４で説明する。
【００８８】
（Ｓ１１０２）端末装置１は、サブフレームｉ＋ｋｐｐ（サブフレーム４０３）においてＳＲ  ＰＵＣＣＨリソース４５０を用いてＨＡＲＱ−ＡＣＫを送信する。端末装置１は、ＳＲ  ＰＵＣＣＨリソース４５０において第３の送信方法（ＦＤＤに対するチャネル選択をともなうＰＵＣＣＨフォーマット１ｂをともなうＨＡＲＱ−ＡＣＫとＳＲの送信方法）を用いてＨＡＲＱ−ＡＣＫを送信する。サブフレームｉ＋ｋｐｐ（サブフレーム４０３）は、サブフレームｊ＋ｋｐｓであってもよい。
【００８９】
（Ｓ１１０３）端末装置１は、サブフレームｉ＋ｋｐｐ（サブフレーム４０３）においてＳＲ  ＰＵＣＣＨリソース４５０を用いてＨＡＲＱ−ＡＣＫを送信する。端末装置１は、ＳＲ  ＰＵＣＣＨリソース４５０において第４の送信方法（ＦＤＤに対するＰＵＣＣＨ
フォーマット１ａまたは１ｂをともなうＨＡＲＱ−ＡＣＫとＳＲの送信方法）を用いてＨＡＲＱ−ＡＣＫを送信する。
【００９０】
基地局装置３は、ＳＲ  ＰＵＣＣＨ４５０においてＨＡＲＱ−ＡＣＫを受信したことに基づいて、スケジューリング要求が正のスケジューリング要求であると判断してもよい。
【００９１】
図１２は、本実施形態の図１１のＳ１１００におけるサブフレームｉとサブフレームｊの関係の一例を示す図である。サブフレームjは、（Ｉ）端末装置１にプライマリセルに
対する上位層のパラメータｓｈｏｒｔＰｒｏｃｅｓｓｉｎｇＴｉｍｅが設定されているかどうか、（ＩＩ）端末装置１にセカンダリセルに対する上位層のパラメータｓｈｏｒｔＰｒｏｃｅｓｓｉｎｇＴｉｍｅが設定されているかどうか、および、（ＩＩＩ）プライマリセルにおけるトランスポートブロックをスケジュールするために用いられるＰＤＣＣＨが何れのサーチスペースで送信されるかに少なくとも基づいて与えられてもよい。
【００９２】
（Ｃａｓｅ  ＣＣＣ）端末装置１にプライマリセルに対する上位層のパラメータｓｈｏｒｔＰｒｏｃｅｓｓｉｎｇＴｉｍｅが設定されない、且つ、端末装置１にセカンダリセルに対する上位層のパラメータｓｈｏｒｔＰｒｏｃｅｓｓｉｎｇＴｉｍｅが設定されない場合、ｊはｉであってもよい。
【００９３】
図１３は本実施形態の図１２における種々のケースのそれぞれに対応する例を示す図である。図１３（ａ）は図１２におけるＣａｓｅ  ＣＣＣの一例を示す図である。図１３（ａ）において、端末装置１は、プライマリセルに対する上位層のパラメータｓｈｏｒｔＰｒｏｃｅｓｓｉｎｇＴｉｍｅが設定されていない。図１３（ａ）において、端末装置１は、セカンダリセルに対する上位層のパラメータｓｈｏｒｔＰｒｏｃｅｓｓｉｎｇＴｉｍｅが設定されない。図１３（ａ）を参照すると、Ｃａｓｅ  ＣＣＣにおいて、サブフレームｊはサブフレームｉである。即ち、Ｃａｓｅ  ＣＣＣにおいて、ＰＤＳＣＨ４２０は、サブフレームｉにおけるプライマリセルにおいて受信されてもよい。ＰＤＳＣＨ４３０は、サブフレームｉにおけるセカンダリセルにおいて受信されてもよい。
【００９４】
（Ｃａｓｅ  ＤＤＤ）端末装置１にプライマリセルに対する上位層のパラメータｓｈｏｒｔＰｒｏｃｅｓｓｉｎｇＴｉｍｅが設定されている、且つ、端末装置１にセカンダリセルに対する上位層のパラメータｓｈｏｒｔＰｒｏｃｅｓｓｉｎｇＴｉｍｅが設定されない、且つ、プライマリセルにおけるトランスポートブロックをスケジュールするために用いられるＰＤＣＣＨがサブフレームｉにおけるコモンサーチスペースで送信された場合、ｊはｉであってもよい。
【００９５】
図１３（ｂ）は図１２におけるＣａｓｅ  ＤＤＤの一例を示す図である。図１３（ｂ）において、端末装置１は、プライマリセルに対する上位層のパラメータｓｈｏｒｔＰｒｏｃｅｓｓｉｎｇＴｉｍｅが設定されている。図１３（ｂ）において、端末装置１は、セカンダリセルに対する上位層のパラメータｓｈｏｒｔＰｒｏｃｅｓｓｉｎｇＴｉｍｅが設定されていない。図１３（ｂ）において、ＰＤＳＣＨ４２０をスケジュールするために用いられるＰＤＣＣＨがサブフレームｉにおけるコモンサーチスペースで送信される。図１３（ｂ）を参照すると、Ｃａｓｅ  ＤＤＤにおいて、サブフレームｊはサブフレームｉである。即ち、Ｃａｓｅ  ＤＤＤにおいて、ＰＤＳＣＨ４２０は、サブフレームｉにおけるプライマリセルにおいて受信されてもよい。ＰＤＳＣＨ４３０は、サブフレームｉにおけるセカンダリセルにおいて受信されてもよい。
【００９６】
（Ｃａｓｅ  ＥＥＥ）端末装置１にプライマリセルに対する上位層のパラメータｓｈｏｒｔＰｒｏｃｅｓｓｉｎｇＴｉｍｅが設定されている、且つ、端末装置１にセカンダリセルに対する上位層のパラメータｓｈｏｒｔＰｒｏｃｅｓｓｉｎｇＴｉｍｅが設定されてい
ない、且つ、プライマリセルにおけるトランスポートブロックをスケジュールするために用いられるＰＤＣＣＨがサブフレームｉにおけるＵＥ固有サーチスペースで送信された場合、ｊはｉ−１であってもよい。
【００９７】
図１３（ｃ）は図１２におけるＣａｓｅ  ＥＥＥの一例を示す図である。図１３（ｃ）において、端末装置１は、プライマリセルに対する上位層のパラメータｓｈｏｒｔＰｒｏｃｅｓｓｉｎｇＴｉｍｅが設定されている。図１３（ｃ）において、端末装置１は、セカンダリセルに対する上位層のパラメータｓｈｏｒｔＰｒｏｃｅｓｓｉｎｇＴｉｍｅが設定されていない。図１３（ｃ）において、ＰＤＳＣＨ４２０をスケジュールするために用いられるＰＤＣＣＨがサブフレームｉにおけるＵＥ固有サーチスペースで送信される。図１３（ｃ）を参照すると、Ｃａｓｅ  ＥＥＥにおいて、サブフレームｊはサブフレームｉ−１である。即ち、Ｃａｓｅ  ＥＥＥにおいて、ＰＤＳＣＨ４２０は、サブフレームｉにおけるプライマリセルにおいて受信されてもよい。ＰＤＳＣＨ４３０は、サブフレームｉ−１におけるセカンダリセルにおいて受信されてもよい。
【００９８】
（Ｃａｓｅ  ＦＦＦ）端末装置１にプライマリセルに対する上位層のパラメータｓｈｏｒｔＰｒｏｃｅｓｓｉｎｇＴｉｍｅが設定されている、且つ、端末装置１にセカンダリセルに対する上位層のパラメータｓｈｏｒｔＰｒｏｃｅｓｓｉｎｇＴｉｍｅが設定されている、且つ、プライマリセルにおけるトランスポートブロックをスケジュールするために用いられるＰＤＣＣＨがサブフレームｉにおけるコモンサーチスペースで送信された場合、ｊはｉ＋１であってもよい。
【００９９】
図１３（ｄ）は図１２におけるＣａｓｅ  ＦＦＦの一例を示す図である。図１３（ｄ）において、端末装置１は、プライマリセルに対する上位層のパラメータｓｈｏｒｔＰｒｏｃｅｓｓｉｎｇＴｉｍｅが設定されている。図１３（ｄ）において、端末装置１は、セカンダリセルに対する上位層のパラメータｓｈｏｒｔＰｒｏｃｅｓｓｉｎｇＴｉｍｅが設定されている。図１３（ｄ）において、ＰＤＳＣＨ４２０をスケジュールするために用いられるＰＤＣＣＨはサブフレームｉにおけるコモンサーチスペースで送信される。図１３（ｄ）を参照すると、Ｃａｓｅ  ＦＦＦにおいて、サブフレームｊはサブフレームｉ＋１である。即ち、Ｃａｓｅ  ＦＦＦにおいて、ＰＤＳＣＨ４２０は、サブフレームｉにおけるプライマリセルにおいて受信されてもよい。ＰＤＳＣＨ４３０は、サブフレームｉ＋１におけるセカンダリセルにおいて受信されてもよい。
【０１００】
（Ｃａｓｅ  ＧＧＧ）端末装置１にプライマリセルに対する上位層のパラメータｓｈｏｒｔＰｒｏｃｅｓｓｉｎｇＴｉｍｅが設定されている、且つ、端末装置１にセカンダリセルに対する上位層のパラメータｓｈｏｒｔＰｒｏｃｅｓｓｉｎｇＴｉｍｅが設定されている、且つ、プライマリセルにおけるトランスポートブロックをスケジュールするために用いられるＰＤＣＣＨがサブフレームｉにおけるＵＥ固有サーチスペースで送信された場合、ｊはｉであってもよい。
【０１０１】
図１３（ｅ）は図１２におけるＣａｓｅ  ＧＧＧの一例を示す図である。図１３（ｅ）において、端末装置１は、プライマリセルに対する上位層のパラメータｓｈｏｒｔＰｒｏｃｅｓｓｉｎｇＴｉｍｅが設定されている。図１３（ｅ）において、端末装置１は、セカンダリセルに対する上位層のパラメータｓｈｏｒｔＰｒｏｃｅｓｓｉｎｇＴｉｍｅが設定されている。図１３（ｅ）において、ＰＤＳＣＨ４２０をスケジュールするために用いられるＰＤＣＣＨがサブフレームｉにおけるＵＥ固有サーチスペースで送信される。図１３（ｅ）を参照すると、Ｃａｓｅ  ＧＧＧにおいて、サブフレームｊはサブフレームｉである。即ち、Ｃａｓｅ  ＧＧＧにおいて、ＰＤＳＣＨ４２０は、サブフレームｉにおけるプライマリセルにおいて受信されてもよい。ＰＤＳＣＨ４３０は、サブフレームｉにおけるセカンダリセルにおいて受信されてもよい。
【０１０２】
図１４は、本実施形態の図１１のＳ１１０１におけるＨＡＲＱ−ＡＣＫ送信方法を選択する一例を示す図である。図１４において、端末装置１によってサブフレームｉにおけるプライマリセルにおいて１つまたは２つのトランスポートブロックが検出され、且つ、セカンダリセルにおけるサブフレームｊが第１の所定のサブフレームの何れでもない場合、端末装置１はＳ１１０２の処理を行う。例えば、端末装置１が２つのトランスポートブロック４２１、４２２がサブフレームｉにおけるプライマリセルにおいて検出され、且つ、セカンダリセルにおけるサブフレームｊが第１の所定のサブフレームの何れでもない場合、端末装置１はＳ１１０２の処理を行う。ここで、端末装置１は、サブフレームｊにおけるセカンダリセルにおいて、トランスポートブロックを検出してもよいし、していなくてもよい。即ち、端末装置１は、サブフレームｊにおけるセカンダリセルにおいて、ＰＤＳＣＨ４３０を受信してもよいし、ＰＤＳＣＨ４３０を受信しなくてもよい。
【０１０３】
また、端末装置１によってサブフレームｉにおけるプライマリセルにおいて１つまたは２つのトランスポートブロックが検出され、且つ、セカンダリセルにおけるサブフレームｊが第１の所定のサブフレームの何れかである場合、端末装置１はＳ１１０３の処理を行う。例えば、端末装置１が２つのトランスポートブロック４２１、４２２がサブフレームｉにおけるプライマリセルにおいて検出され、且つ、セカンダリセルにおけるサブフレームｊが第１の所定のサブフレームの何れかである場合、端末装置１はＳ１１０３の処理を行う。ここで、端末装置１は、サブフレームｊにおけるセカンダリセルにおいて、トランスポートブロックを検出しない。端末装置１は、サブフレームｊにおけるセカンダリセルにおいて、ＰＤＳＣＨ４３０を受信しない。
【０１０４】
図１１における所定のサブフレームは、図８における所定のサブフレームと同じでもよい。
【０１０５】
以下、Ｓ１１０２における第３の送信方法（ＦＤＤに対するチャネル選択をともなうＰＵＣＣＨフォーマット１ｂをともなうＨＡＲＱ−ＡＣＫとＳＲの送信方法）について説明する。
【０１０６】
第３の送信方法に対して、スケジューリング要求が正のスケジューリング要求であり、且つ、同じサブフレームでＨＡＲＱ−ＡＣＫとスケジューリング要求が送信される場合、端末装置１はＳＲ  ＰＵＣＣＨリソース４５０においてサービングセル毎に１ビットのＨＡＲＱ−ＡＣＫを送信する。プライマリセルのためのＨＡＲＱ−ＡＣＫビットはｂ（０）にマップされる。セカンダリセルのためのＨＡＲＱ−ＡＣＫビットはｂ（１）にマップされる。ここで、サービングセル毎の１ビットのＨＡＲＱ−ＡＣＫは、以下の規則（１）から（３）に従って生成される。規則（１）において、１つのトランスポートブロックがサービングセルにおいて受信される場合、該サービングセルのためのＨＡＲＱ−ＡＣＫビットは該１つのトランスポートブロックに対応するＨＡＲＱ−ＡＣＫビットである。規則（２）において、サービングセルにおいて２つのトランスポートブロックが受信される場合、該サービングセルのためのＨＡＲＱ−ＡＣＫビットは該２つのトランスポートブロックに対応する２つのＨＡＲＱ−ＡＣＫビットを空間的にバンドルすること（spatial bundling）によって生成される。規則（３）において、ＨＡＲＱ−ＡＣＫ応答が提供されないといけないＰＤＳＣＨ送信（PDSCH transmission for which HARQ-ACK response shall be provided）がサービングセルにおいて検出されなかった場合、サービングセルのためのＨＡＲＱ−ＡＣＫビットはＮＡＣＫにセットされる。規則（３）において、ＨＡＲＱ−ＡＣＫ応答が提供されないといけないＰＤＳＣＨ送信またはＰＤＣＣＨ送信（PDSCH transmission or PDCCH transmission for which HARQ-ACK responseshall be provided）がサービングセルにおいて検出されなかった場合、サービングセルのためのＨＡＲＱ−ＡＣＫビットはＮＡＣＫにセットされてもよい。ここで、該ＰＤＣＣＨ送信は、下りリンクにおけ
るセミパーシステントスケジューリングのリリースを指示するＰＤＣＣＨ送信であってもよい。
【０１０７】
図１５は、本実施形態における第１の送信方法における規則（２）に関する動作の一例を示す図である。Ｓ１０ａにおいて、端末装置１はＨＡＲＱ−ＡＣＫ（０）とＨＡＲＱ−ＡＣＫ（１）を空間的にバンドルすることによってプライマリセルに対するＨＡＲＱ−ＡＣＫビットを生成する。Ｓ１０ｂにおいて、端末装置１はＨＡＲＱ−ＡＣＫ（２）とＨＡＲＱ−ＡＣＫ（３）を空間的にバンドルすることによってセカンダリセルに対するＨＡＲＱ−ＡＣＫビットを生成する。Ｓ１０ａとＳ１０ｂのそれぞれにおいて、入力される２つのＨＡＲＱ−ＡＣＫビットのそれぞれがＡＣＫである場合、空間的にバンドルすることによって生成されるＨＡＲＱ−ＡＣＫはＡＣＫにセットされる。Ｓ１０ａとＳ１０ｂにおいて、入力される２つのＨＡＲＱ−ＡＣＫビットの少なくとも一方がＮＡＣＫである場合、空間的にバンドルすることによって生成されるＨＡＲＱ−ＡＣＫはＮＡＣＫにセットされる。
【０１０８】
サービングセル毎のＨＡＲＱ−ＡＣＫビットはＡＣＫまたはＮＡＣＫにセットされる。端末装置１はサービングセル毎のＨＡＲＱ−ＡＣＫビットをバイナリビットに符号化する。端末装置１は、ＡＣＫをバイナリ“１”として符号化し、且つ、ＮＡＣＫをバイナリ“０”として符号化する。
【０１０９】
即ち、第３の送信方法に対して、基地局装置３は、ＳＲ  ＨＡＲＱ−ＡＣＫ  ＰＵＣＣにおいて検出したＨＡＲＱ−ＡＣＫに基づいて、プライマリセルとセカンダリセルのそれぞれに対してＨＡＲＱ−ＡＣＫを知ることができる。
【０１１０】
以下、Ｓ１１０３における第４の送信方法（ＦＤＤに対するＰＵＣＣＨフォーマット１ａまたは１ｂをともなうＨＡＲＱ−ＡＣＫとＳＲの送信方法）について説明する。
【０１１１】
第４の送信方法に対して、スケジューリング要求が正のスケジューリング要求であり、且つ、サブフレームｉ＋ｋｐｐにおいてＨＡＲＱ−ＡＣＫとスケジューリング要求が送信される場合、端末装置１はＳＲ  ＰＵＣＣＨリソース４５０においてＨＡＲＱ−ＡＣＫを送信する。ここで、ＨＡＲＱ−ＡＣＫは、ＨＡＲＱ−ＡＣＫ（０）とＨＡＲＱ−ＡＣＫ（１）を含み、且つ、ＨＡＲＱ−ＡＣＫ（２）とＨＡＲＱ−ＡＣＫ（３）を含まなくてもよい。この場合、端末装置１は、ＰＵＣＣＨフォーマット１ｂを用いてＨＡＲＱ−ＡＣＫの送信を行う。
【０１１２】
第４の送信方法に対して、送信されるＨＡＲＱ−ＡＣＫは、ＨＡＲＱ−ＡＣＫ（０）を含み、且つ、ＨＡＲＱ−ＡＣＫ（１）とＨＡＲＱ−ＡＣＫ（２）とＨＡＲＱ−ＡＣＫ（３）を含まなくてもよい。この場合、端末装置１は、ＰＵＣＣＨフォーマット１ａを用いてＨＡＲＱ−ＡＣＫの送信を行う。
【０１１３】
すなわち、第４の送信方法に対して、スケジューリング要求が正のスケジューリング要求であり、且つ、同じサブフレームｉ＋ｋｐｐにおいてＨＡＲＱ−ＡＣＫとスケジューリング要求が送信される場合、端末装置１はサブフレームｉ＋ｋｐｐにおけるＳＲ  ＰＵＣＣＨリソース４５０においてプライマリセルにおけるサブフレームｉにおけるトランスポートブロック毎のＨＡＲＱ−ＡＣＫを送信する。第４の送信方法において、ＨＡＲＱ−ＡＣＫ（０）とＨＡＲＱ−ＡＣＫ（１）は空間的にバンドルされない。
【０１１４】
第４の送信方法に対して、図１０の示すよう、Ｓ１１ａにおいて、端末装置１はＨＡＲＱ−ＡＣＫ（０）をバイナリビットに符号化する。Ｓ１１ｂにおいて、端末装置１はＨＡＲＱ−ＡＣＫ（１）をバイナリビットに符号化する。トランスポート毎のＨＡＲＱ−ＡＣ
ＫビットはＡＣＫまたはＮＡＣＫにセットされる。端末装置１は、ＡＣＫをバイナリ“１”として符号化し、且つ、ＮＡＣＫをバイナリ“０”として符号化する。
【０１１５】
即ち、第４の送信方法に対して、基地局装置３は、ＳＲ  ＨＡＲＱ−ＡＣＫ  ＰＵＣＣにおいて検出したＨＡＲＱ−ＡＣＫに基づいて、プライマリセルに対してＨＡＲＱ−ＡＣＫを知ることができる。具体的にいうと、第４の送信方法に対して、基地局装置３は、ＳＲ  ＨＡＲＱ−ＡＣＫ  ＰＵＣＣにおいて検出したＨＡＲＱ−ＡＣＫに基づいて、プライマリセルにおけるＰＤＳＣＨ４２０が含むトランスポートブロック４２１と４２２のそれぞれに対応するＨＡＲＱ−ＡＣＫを知ることができる。
【０１１６】
つまり、端末装置１にプライマリセルに対する上位層のパラメータｓｈｏｒｔＰｒｏｃｅｓｓｉｎｇＴｉｍｅが設定されない、且つ、端末装置１にセカンダリセルに対する上位層のパラメータｓｈｏｒｔＰｒｏｃｅｓｓｉｎｇＴｉｍｅが設定されない、且つ、スケジューリング要求が正のスケジューリング要求であり、プライマリセルにおけるサブフレームｉにおいてトランスポートブロックが検出され、且つ、トランスポートブロックに対するＨＡＲＱ−ＡＣＫとスケジューリング要求が送信される場合、端末装置１は、セカンダリセルにおけるサブフレームｉが第１の所定のサブフレームの何れでもない場合、第３の送信方法を選択してもよい。即ち、端末装置１にプライマリセルに対する上位層のパラメータｓｈｏｒｔＰｒｏｃｅｓｓｉｎｇＴｉｍｅが設定されない、且つ、端末装置１にセカンダリセルに対する上位層のパラメータｓｈｏｒｔＰｒｏｃｅｓｓｉｎｇＴｉｍｅが設定されない、且つ、スケジューリング要求が正のスケジューリング要求であり、プライマリセルにおけるサブフレームｉにおいてトランスポートブロックが検出され、且つ、トランスポートブロックに対するＨＡＲＱ−ＡＣＫとスケジューリング要求が送信される場合、端末装置１は、セカンダリセルにおけるサブフレームｉが第１の所定のサブフレームの何れかである場合、第４の送信方法を選択してもよい。
【０１１７】
また、端末装置１にプライマリセルに対する上位層のパラメータｓｈｏｒｔＰｒｏｃｅｓｓｉｎｇＴｉｍｅが設定されている、且つ、端末装置１にセカンダリセルに対する上位層のパラメータｓｈｏｒｔＰｒｏｃｅｓｓｉｎｇＴｉｍｅが設定されない、且つ、スケジューリング要求が正のスケジューリング要求であり、プライマリセルにおけるサブフレームｉにおいてトランスポートブロックが検出され、且つ、プライマリセルにおけるトランスポートブロックをスケジュールするために用いられるＰＤＣＣＨがサブフレームｉにおけるコモンサーチスペースで送信され、且つ、トランスポートブロックに対するＨＡＲＱ−ＡＣＫとスケジューリング要求が送信される場合、端末装置１は、セカンダリセルにおけるサブフレームｉが第１の所定のサブフレームの何れでもない場合、第３の送信方法をＨＡＲＱ−ＡＣＫ送信方法として選択してもよい。即ち、端末装置１にプライマリセルに対する上位層のパラメータｓｈｏｒｔＰｒｏｃｅｓｓｉｎｇＴｉｍｅが設定されている、且つ、端末装置１にセカンダリセルに対する上位層のパラメータｓｈｏｒｔＰｒｏｃｅｓｓｉｎｇＴｉｍｅが設定されない、且つ、スケジューリング要求が正のスケジューリング要求であり、プライマリセルにおけるサブフレームｉにおいてトランスポートブロックが検出され、且つ、プライマリセルにおけるトランスポートブロックをスケジュールするために用いられるＰＤＣＣＨがサブフレームｉにおけるコモンサーチスペースで送信され、且つ、トランスポートブロックに対するＨＡＲＱ−ＡＣＫとスケジューリング要求が送信される場合、端末装置１は、セカンダリセルにおけるサブフレームｉが第１の所定のサブフレームの何れかである場合、第４の送信方法を選択してもよい。
【０１１８】
また、端末装置１にプライマリセルに対する上位層のパラメータｓｈｏｒｔＰｒｏｃｅｓｓｉｎｇＴｉｍｅが設定されている、且つ、端末装置１にセカンダリセルに対する上位層のパラメータｓｈｏｒｔＰｒｏｃｅｓｓｉｎｇＴｉｍｅが設定されない、且つ、スケジューリング要求が正のスケジューリング要求であり、プライマリセルにおけるサブフレー
ムｉにおいてトランスポートブロックが検出され、且つ、プライマリセルにおけるトランスポートブロックをスケジュールするために用いられるＰＤＣＣＨがサブフレームｉにおけるＵＥ固有サーチスペースで送信され、且つ、トランスポートブロックに対するＨＡＲＱ−ＡＣＫとスケジューリング要求が送信される場合、端末装置１は、セカンダリセルにおけるサブフレームｉ―１が第１の所定のサブフレームの何れでもない場合、第３の送信方法をＨＡＲＱ−ＡＣＫ送信方法として選択してもよい。即ち、端末装置１にプライマリセルに対する上位層のパラメータｓｈｏｒｔＰｒｏｃｅｓｓｉｎｇＴｉｍｅが設定されている、且つ、端末装置１にセカンダリセルに対する上位層のパラメータｓｈｏｒｔＰｒｏｃｅｓｓｉｎｇＴｉｍｅが設定されない、且つ、スケジューリング要求が正のスケジューリング要求であり、プライマリセルにおけるサブフレームｉにおいてトランスポートブロックが検出され、且つ、プライマリセルにおけるトランスポートブロックをスケジュールするために用いられるＰＤＣＣＨがサブフレームｉにおけるＵＥ固有サーチスペースで送信され、且つ、トランスポートブロックに対するＨＡＲＱ−ＡＣＫとスケジューリング要求が送信される場合、端末装置１は、セカンダリセルにおけるサブフレームｉ−１が第１の所定のサブフレームの何れかである場合、第４の送信方法を選択してもよい。
【０１１９】
また、端末装置１にプライマリセルに対する上位層のパラメータｓｈｏｒｔＰｒｏｃｅｓｓｉｎｇＴｉｍｅが設定されている、且つ、端末装置１にセカンダリセルに対する上位層のパラメータｓｈｏｒｔＰｒｏｃｅｓｓｉｎｇＴｉｍｅが設定されている、且つ、スケジューリング要求が正のスケジューリング要求であり、プライマリセルにおけるサブフレームｉにおいてトランスポートブロックが検出され、且つ、プライマリセルにおけるトランスポートブロックをスケジュールするために用いられるＰＤＣＣＨがサブフレームｉにおけるコモンサーチスペースで送信され、且つ、トランスポートブロックに対するＨＡＲＱ−ＡＣＫとスケジューリング要求が送信される場合、端末装置１は、セカンダリセルにおけるサブフレームｉ＋１が第１の所定のサブフレームの何れでもない場合、第３の送信方法をＨＡＲＱ−ＡＣＫ送信方法として選択してもよい。即ち、端末装置１にプライマリセルに対する上位層のパラメータｓｈｏｒｔＰｒｏｃｅｓｓｉｎｇＴｉｍｅが設定されている、且つ、端末装置１にセカンダリセルに対する上位層のパラメータｓｈｏｒｔＰｒｏｃｅｓｓｉｎｇＴｉｍｅが設定されている、且つ、スケジューリング要求が正のスケジューリング要求であり、プライマリセルにおけるサブフレームｉにおいてトランスポートブロックが検出され、且つ、プライマリセルにおけるトランスポートブロックをスケジュールするために用いられるＰＤＣＣＨがサブフレームｉにおけるコモンサーチスペースで送信され、且つ、トランスポートブロックに対するＨＡＲＱ−ＡＣＫとスケジューリング要求が送信される場合、端末装置１は、セカンダリセルにおけるサブフレームｉ＋１が第１の所定のサブフレームの何れかである場合、第４の送信方法を選択してもよい。
【０１２０】
また、端末装置１にプライマリセルに対する上位層のパラメータｓｈｏｒｔＰｒｏｃｅｓｓｉｎｇＴｉｍｅが設定されている、且つ、端末装置１にセカンダリセルに対する上位層のパラメータｓｈｏｒｔＰｒｏｃｅｓｓｉｎｇＴｉｍｅが設定されている、且つ、スケジューリング要求が正のスケジューリング要求であり、プライマリセルにおけるサブフレームｉにおいてトランスポートブロックが検出され、且つ、プライマリセルにおけるトランスポートブロックをスケジュールするために用いられるＰＤＣＣＨがサブフレームｉにおけるＵＥ固有サーチスペースで送信され、且つ、トランスポートブロックに対するＨＡＲＱ−ＡＣＫとスケジューリング要求が送信される場合、端末装置１は、セカンダリセルにおけるサブフレームｉが第１の所定のサブフレームの何れでもない場合、第３の送信方法をＨＡＲＱ−ＡＣＫ送信方法として選択してもよい。即ち、端末装置１にプライマリセルに対する上位層のパラメータｓｈｏｒｔＰｒｏｃｅｓｓｉｎｇＴｉｍｅが設定されている、且つ、端末装置１にセカンダリセルに対する上位層のパラメータｓｈｏｒｔＰｒｏｃｅｓｓｉｎｇＴｉｍｅが設定されている、且つ、スケジューリング要求が正のスケジューリング要求であり、プライマリセルにおけるサブフレームｉにおいてトランスポートブロ
ックが検出され、且つ、プライマリセルにおけるトランスポートブロックをスケジュールするために用いられるＰＤＣＣＨがサブフレームｉにおけるＵＥ固有サーチスペースで送信され、且つ、トランスポートブロックに対するＨＡＲＱ−ＡＣＫとスケジューリング要求が送信される場合、端末装置１は、セカンダリセルにおけるサブフレームｉが第１の所定のサブフレームの何れかである場合、第４の送信方法を選択してもよい。
【０１２１】
以下、本実施形態において、スケジューリングリクエストが正のスケジューリング要求であり、且つ、プライマリセルにおけるサブフレームｉにおいて検出したトランスポートブロックに対するＨＡＲＱ−ＡＣＫをプライマリセルサブフレームｉ＋ｋｐｐで送信する場合における、ＨＡＲＱ−ＡＣＫの送信方法の別の決定方法について説明する。
【０１２２】
図１６は、本実施形態の正のスケジューリング要求である場合における、プライマリセルサブフレームｉ＋ｋｐｐにおけるＨＡＲＱ−ＡＣＫの送信方法を選択するための別のフロー図である。即ち、図１６は、スケジューリング要求が正のスケジューリング要求であり、且つ、プライマリセルにおけるサブフレームｉにおいて検出したトランスポートブロックに対するＨＡＲＱ−ＡＣＫをプライマリセルサブフレームｉ＋ｋｐｐで送信する場合における、ＨＡＲＱ−ＡＣＫの送信方法の別の決定方法を示す図である。
【０１２３】
図１６におけるＳ１１０４は図１１におけるＳ１１００と同じであるため、説明を省略する。
【０１２４】
図１６において、ＨＡＲＱ−ＡＣＫの送信方法の別の決定方法は、Ｓ１１０５に基づいて与えられてもよい。
【０１２５】
（Ｓ１１０５）端末装置１がサブフレームｉにおけるプライマリセルにおいて１つまたは２つのトランスポートブロックが検出される場合、端末装置１は、（Ａ）セカンダリセルにおけるサブフレームｊが第１の所定のサブフレームであるかどうか、（Ｂ）Ｃａｓｅ
ＣＣＣにおける条件が満たされるかどうかに少なくとも基づいて、Ｓ１１０６とＳ１１０７の内、何れかの処理を行う。図１２の示すよう、Ｃａｓｅ  ＣＣＣにおける条件が満たされることは、端末装置１にプライマリセルに対する上位層のパラメータｓｈｏｒｔＰｒｏｃｅｓｓｉｎｇＴｉｍｅが設定されない、且つ、端末装置１にセカンダリセルに対する上位層のパラメータｓｈｏｒｔＰｒｏｃｅｓｓｉｎｇＴｉｍｅが設定されないことを意味する。Ｃａｓｅ  ＣＣＣにおける条件が満たされないことは、プライマリセルとセカンダリセルの内、何れかに対して、端末装置１が上位層のパラメータｓｈｏｒｔＰｒｏｃｅｓｓｉｎｇＴｉｍｅが設定されることを意味する。
【０１２６】
端末装置１がサブフレームｉにおけるプライマリセルにおいて１つまたは２つのトランスポートブロックが検出され、且つ、セカンダリセルにおけるサブフレームｊが第１の所定のサブフレームの何れかであり、且つ、Ｃａｓｅ  ＣＣＣにおける条件が満たされる場合、端末装置１はＳ１１０７の処理を行う。
【０１２７】
また、端末装置１がサブフレームｉにおけるプライマリセルにおいて１つまたは２つのトランスポートブロックが検出され、且つ、セカンダリセルにおけるサブフレームｊが第１の所定のサブフレームの何れかであっても、Ｃａｓｅ  ＣＣＣにおける条件が満たされない場合、端末装置１はＳ１１０６の処理を行う。
【０１２８】
端末装置１がサブフレームｉにおけるプライマリセルにおいて１つまたは２つのトランスポートブロックが検出され、且つ、セカンダリセルにおけるサブフレームｊが第１の所定のサブフレームの何れでもない、且つ、
Ｃａｓｅ  ＣＣＣにおける条件が満たされる場合、端末装置１はＳ１１０６の処理を行う
。
【０１２９】
また、端末装置１がサブフレームｉにおけるプライマリセルにおいて１つまたは２つのトランスポートブロックが検出され、且つ、セカンダリセルにおけるサブフレームｊが第１の所定のサブフレームの何れでもない、且つ、Ｃａｓｅ  ＣＣＣにおける条件が満たされる場合、端末装置１は、Ｓ１１０６の処理を行う。
【０１３０】
図１６におけるＳ１１０６は図１１におけるＳ１１０２と同じであるため、説明を省略する。図１６におけるＳ１１０７は図１１におけるＳ１１０３と同じであるため、説明を省略する。
【０１３１】
本実施形態において、Ｓ６０３およびＳ１１０３において、端末装置１は、ｂ（０）を変調することによって１つの複素数値シンボル（complex-valued symbol）を生成し、Ｐ
ＵＣＣＨフォーマット１ａを用いて該１つの複素数値シンボルを送信してもよい。また、Ｓ６０２、Ｓ６０３、Ｓ１１０２、および、Ｓ１１０３において、端末装置１は、ｂ（０）ｂ（１）を変調することによって１つの複素数値シンボル（complex-valued symbol）
を生成し、ＰＵＣＣＨフォーマット１ｂを用いて該１つの複素数値シンボルを送信してもよい。
【０１３２】
以下、本発明の端末装置１の装置構成について説明する。
【０１３３】
図１７は、本発明における端末装置１の構成を示す概略ブロック図である。図示するように、端末装置１は、上位層処理部１０１、制御部１０３、受信部１０５、送信部１０７および、送受信アンテナ１０９を含んで構成される。上位層処理部１０１は、無線リソース制御部１０１１、スケジューリング部１０１３を含んで構成される。受信部１０５は、復号化部１０５１、復調部１０５３、多重分離部１０５５、無線受信部１０５７とチャネル測定部１０５９を含んで構成される。送信部１０７は、符号化部１０７１、ＰＵＳＣＨ生成部１０７３、ＰＵＣＣＨ生成部１０７５、多重部１０７７、無線送信部１０７９と上りリンク参照信号生成部１０７１１を含んで構成される。
【０１３４】
上位層処理部１０１は、ユーザの操作等により生成された上りリンクデータを、送信部１０７に出力する。また、上位層処理部１０１は、媒体アクセス制御（MAC: Medium Access Control）層、パケットデータ統合プロトコル（PacketData Convergence Protocol: PDCP）層、無線リンク制御（Radio LinkControl: RLC）層、無線リソース制御（Radio Resource Control: RRC）層の処理を行なう。また、上位層処理部１０１はＰＤＣＣＨで受信された下りリンク制御情報などに基づき、受信部１０５、および送信部１０７の制御を行なうために制御情報を生成し、制御部１０３に出力する。
【０１３５】
上位層処理部１０１が備える無線リソース制御部１０１１は、自装置の各種設定情報の管理を行なう。例えば、無線リソース制御部１０１１は、設定されたサービングセルの管理を行なう。また、無線リソース制御部１０１１は、上りリンクの各チャネルに配置される情報を生成し、送信部１０７に出力する。無線リソース制御部１０１１は、受信した下りリンクデータの復号に成功した場合には、ＡＣＫを生成し送信部１０７にＡＣＫを出力し、受信した下りリンクデータの復号に失敗した場合には、ＮＡＣＫを生成し、送信部１０７にＮＡＣＫを出力する。
【０１３６】
上位層処理部１０１が備えるスケジューリング部１０１３は、受信部１０５を介して受信した下りリンク制御情報を記憶する。スケジューリング部１０１３は、上りリンクグラントを受信したサブフレームから４つ後のサブフレームにおいて、受信された上りリンクグラントに従ってＰＵＳＣＨまたはｓＰＵＳＣＨを送信するよう、制御部１０３を介して
送信部１０７を制御する。スケジューリング部１０１３は、下りリンクグラントを受信したサブフレームにおいて、受信された下りリンクグラントに従ってＰＤＳＣＨまたはｓＰＤＳＣＨを受信するよう、制御部１０３を介して受信部１０５を制御する。
【０１３７】
制御部１０３は、上位層処理部１０１からの制御情報に基づいて、受信部１０５、および送信部１０７の制御を行なう制御信号を生成する。制御部１０３は、生成した制御信号を受信部１０５、および送信部１０７に出力して受信部１０５、および送信部１０７の制御を行なう。
【０１３８】
受信部１０５は、制御部１０３から入力された制御信号に従って、送受信アンテナ１０９を介して基地局装置３から受信した受信信号を、分離、復調、復号し、復号した情報を上位層処理部１０１に出力する。
【０１３９】
無線受信部１０５７は、送受信アンテナ１０９を介して受信した下りリンクの信号を直交復調し、直交復調されたアナログ信号をディジタル信号に変換する。無線受信部１０５７は、ディジタル信号に対して高速フーリエ変換（Fast Fourier Transform: FFT）を行
い、周波数領域の信号を抽出する。
【０１４０】
多重分離部１０５５は、抽出した信号をＰＤＣＣＨ、ｓＰＤＳＣＨ、ＰＣＦＩＣＨ、ＰＤＳＣＨ、ｓＰＤＳＣＨ、および、下りリンク参照信号に、それぞれ分離する。多重分離部１０５５は、分離した下りリンク参照信号をチャネル測定部１０５９に出力する。
【０１４１】
復調部１０５３は、ＰＤＣＣＨ、ｓＰＤＣＣＨ、ＰＤＳＣＨ、および、ｓＰＤＳＣＨに対して、ＱＰＳＫ、１６ＱＡＭ（QuadratureAmplitude Modulation）、６４ＱＡＭ等の
変調方式に対する復調を行ない、復号化部１０５１へ出力する。
【０１４２】
復号化部１０５１は、下りリンクデータの復号を行い、復号した下りリンクデータを上位層処理部１０１へ出力する。チャネル測定部１０５９は、下りリンク参照信号から下りリンクの伝搬路の推定値を算出し、多重分離部１０５５へ出力する。チャネル測定部１０５９は、チャネル状態情報を算出し、尚且つ、チャネル状態情報を上位層処理部１０１へ出力する
【０１４３】
送信部１０７は、制御部１０３から入力された制御信号に従って、上りリンク参照信号を生成し、上位層処理部１０１から入力された上りリンクデータや上りリンク制御情報を符号化および変調し、ＰＵＣＣＨ、ＰＵＳＣＨ、および生成した上りリンク参照信号を多重し、送受信アンテナ１０９を介して基地局装置３に送信する。
【０１４４】
符号化部１０７１は、上位層処理部１０１から入力された上りリンク制御情報と上りリンクデータを符号化し、符号化ビットをＰＵＳＣＨ生成部および／またはＰＵＣＣＨ生成部に出力する。
【０１４５】
ＰＵＳＣＨ生成部１０７３は、符号化部１０７１から入力された符号化ビットｈiを変
調して変調シンボルを生成し、変調シンボルをＤＦＴすることによってＰＵＳＣＨ／ｓＰＵＳＣＨの信号を生成し、尚且つ、ＤＦＴされたＰＵＳＣＨ／ｓＰＵＳＣＨの信号を多重部１０７７へ出力する。
【０１４６】
ＰＵＣＣＨ生成部１０７５は、符号化部１０７１から入力された符号化ビットqi／gi、および／または、ＳＲに基づいて、ＰＵＣＣＨ／ｓＰＵＣＣＨの信号を生成し、生成したＰＵＣＣＨ／ｓＰＵＣＣＨの信号を多重部１０７７へ出力する。
【０１４７】
上りリンク参照信号生成部１０７１１は上りリンク参照信号を生成し、生成した上りリンク参照信号を多重部１０７７へ出力する。
【０１４８】
多重部１０７５は、制御部１０３から入力された制御信号に従って、ＰＵＳＣＨ生成部１０７３から入力された信号および／またはＰＵＣＣＨ生成部か１０７５ら入力された信号、および／または、上りリンク参照信号生成部１０７１１から入力された上りリンク参照信号を、送信アンテナポート毎に上りリンクのリソースエレメントに多重する。
【０１４９】
無線送信部１０７７は、多重された信号を逆高速フーリエ変換（Inverse Fast Fourier
Transform: IFFT）して、ＳＣ−ＦＤＭＡ方式の変調を行い、ベースバンドのディジタル信号を生成し、ベースバンドのディジタル信号をアナログ信号に変換し、アナログ信号から中間周波数の同相成分および直交成分を生成し、中間周波数帯域に対する余分な周波数成分を除去し、中間周波数の信号を高周波数の信号に変換（アップコンバート: up convert）し、余分な周波数成分を除去し、電力増幅し、送受信アンテナ１０９に出力して送信する。
【０１５０】
以下、本発明の基地局装置３の装置構成について説明する。
【０１５１】
図１８は、本発明における基地局装置３の構成を示す概略ブロック図である。図示するように、基地局装置３は、上位層処理部３０１、制御部３０３、受信部３０５、送信部３０７、および、送受信アンテナ３０９、を含んで構成される。また、上位層処理部３０１は、無線リソース制御部３０１１とスケジューリング部３０１３を含んで構成される。また、受信部３０５は、データ復調／復号部３０５１、制御情報復調／復号部３０５３、多重分離部３０５５、無線受信部３０５７とチャネル測定部３０５９を含んで構成される。また、送信部３０７は、符号化部３０７１、変調部３０７３、多重部３０７５、無線送信部３０７７と下りリンク参照信号生成部３０７９を含んで構成される。
【０１５２】
上位層処理部３０１は、媒体アクセス制御（MAC: Medium Access Control）層、パケットデータ統合プロトコル（Packet Data Convergence Protocol: PDCP）層、無線リンク制御（Radio Link Control: RLC）層、無線リソース制御（RadioResource Control: RRC）層の処理を行なう。また、上位層処理部３０１は、受信部３０５、および送信部３０７の制御を行なうために制御情報を生成し、制御部３０３に出力する。
【０１５３】
上位層処理部３０１が備える無線リソース制御部３０１１は、下りリンクのＰＤＳＣＨに配置される下りリンクデータ、ＲＲＣシグナル、ＭＡＣ  ＣＥ（Control Element）を
生成し、又は上位ノードから取得し、ＨＡＲＱ制御部３０１３に出力する。また、無線リソース制御部３０１１は、移動局装置１各々の各種設定情報の管理をする。例えば、無線リソース制御部３０１１は、移動局装置１に設定したサービングセルの管理などを行なう。
【０１５４】
上位層処理部３０１が備えるスケジューリング部３０１３は、移動局装置１に割り当てるＰＵＳＣＨ、ｓＰＵＳＣＨ、ＰＵＣＣＨ、および、ｓＰＵＣＣＨの無線リソースの管理をしている。スケジューリング部３０１３は、移動局装置１にＰＵＳＣＨまたはｓＰＵＳＣＨの無線リソースを割り当てた場合には、ＰＵＳＣＨまたはｓＰＵＳＣＨの無線リソースの割り当てを示す上りリンクグラントを生成し、生成した上りリンクグラントを送信部３０７へ出力する。
【０１５５】
制御部３０３は、上位層処理部３０１からの制御情報に基づいて、受信部３０５、および送信部３０７の制御を行なう制御信号を生成する。制御部３０３は、生成した制御信号を受信部３０５、および送信部３０７に出力して受信部３０５、および送信部３０７の制
御を行なう。
【０１５６】
受信部３０５は、制御部３０３から入力された制御信号に従って、送受信アンテナ３０９を介して移動局装置１から受信した受信信号を分離、復調、復号し、復号した情報を上位層処理部３０１に出力する。
【０１５７】
無線受信部３０５７は、送受信アンテナ３０９を介して受信された上りリンクの信号を直交復調し、直交復調されたアナログ信号をディジタル信号に変換する。無線受信部３０５７は、ディジタル信号に対して高速フーリエ変換（Fast Fourier Transform: FFT）を
行い、周波数領域の信号を抽出し多重分離部３０５５に出力する。
【０１５８】
多重分離部１０５５は、無線受信部３０５７から入力された信号をＰＵＣＣＨ、ｓＰＵＣＣＨ、ＰＵＳＣＨ、ｓＰＵＳＣＨ、および、上りリンク参照信号などの信号に分離する。尚、この分離は、予め基地局装置３が無線リソース制御部３０１１で決定し、各移動局装置１に通知した上りリンクグラントに含まれる無線リソースの割り当て情報に基づいて行なわれる。多重分離部３０５５は、チャネル測定部３０５９から入力された伝搬路の推定値から、ＰＵＣＣＨ、ｓＰＵＣＣＨ、ＰＵＳＣＨ、および、ｓＰＵＳＣＨの伝搬路の補償を行なう。また、多重分離部３０５５は、分離した上りリンク参照信号をチャネル測定部３０５９に出力する。
【０１５９】
多重分離部３０５５は、分離したＰＵＣＣＨ、ｓＰＵＣＣＨ、ＰＵＳＣＨ、および、ｓＰＵＳＣＨの信号から、上りリンクデータの変調シンボルと上りリンク制御情報（ＨＡＲＱ−ＡＣＫ）の変調シンボルを取得する。多重分離部３０５５は、ＰＵＳＣＨまたはｓＰＵＳＣＨの信号から取得した上りリンクデータの変調シンボルをデータ復調／復号部３０５１へ出力する。多重分離部３０５５は、ＰＵＣＣＨの信号、ｓＰＵＣＣＨの信号、ＰＵＳＣＨの信号、または、ｓＰＵＳＣＨの信号から取得した上りリンク制御情報（ＨＡＲＱ−ＡＣＫ）の変調シンボルを制御情報復調／復号部３０５３へ出力する。
【０１６０】
チャネル測定部３０５９は、多重分離部３０５５から入力された上りリンク参照信号から伝搬路の推定値、チャネルの品質などを測定し、多重分離部３０５５および上位層処理部３０１に出力する。
【０１６１】
データ復調／復号部３０５１は、多重分離部３０５５から入力された上りリンクデータの変調シンボルから上りリンクデータを復号する。データ復調／復号部３０５１は、復号された上りリンクデータを上位層処理部３０１へ出力する。
【０１６２】
制御情報復調／復号部３０５３は、多重分離部３０５５から入力されたＨＡＲＱ−ＡＣＫの変調シンボルからＨＡＲＱ−ＡＣＫを復号する。制御情報復調／復号部３０５３は、復号したＨＡＲＱ−ＡＣＫを上位層処理部３０１へ出力する。
【０１６３】
送信部３０７は、制御部３０３から入力された制御信号に従って、下りリンク参照信号を生成し、上位層処理部３０１から入力された下りリンク制御情報、下りリンクデータを符号化、および変調し、ＰＤＣＣＨ、ｓＰＤＣＣＨ、ＰＤＳＣＨ、ｓＰＤＳＣＨ、および、下りリンク参照信号を多重して、送受信アンテナ３０９を介して移動局装置１に信号を送信する。
【０１６４】
符号化部３０７１は、上位層処理部３０１から入力された下りリンク制御情報、および、下りリンクデータの符号化を行なう。変調部３０７３は、符号化部３０７１から入力された符号化ビットをＢＰＳＫ、ＱＰＳＫ、１６ＱＡＭ、６４ＱＡＭ等の変調方式で変調する。
【０１６５】
下りリンク参照信号生成部３０７９は下りリンク参照信号として生成する。多重部３０７５は、各チャネルの変調シンボルと下りリンク参照信号を多重する。
【０１６６】
無線送信部３０７７は、多重された変調シンボルなどを逆高速フーリエ変換（Inverse FastFourier Transform: IFFT）して、ＯＦＤＭ方式の変調を行い、ベースバンドのディジタル信号を生成し、ベースバンドのディジタル信号をアナログ信号に変換し、アナログ信号から中間周波数の同相成分および直交成分を生成し、中間周波数帯域に対する余分な周波数成分を除去し、中間周波数の信号を高周波数の信号に変換（アップコンバート: up
convert）し、余分な周波数成分を除去し、電力増幅し、送受信アンテナ３０９に出力して送信する。
【０１６７】
端末装置１、および、基地局装置３に含まれる部のそれぞれは、回路として構成されてもよい。図１７、および、図１８における１つまたは複数の部は、少なくとも１つのプロセッサ、および、当該少なくとも１つのプロセッサと連結されるメモリとして構成されてもよい。
【０１６８】
以下、本実施形態における、端末装置１および基地局装置３の種々の態様について説明する。
【０１６９】
（１）本実施形態の第１の態様は、１つのプライマリセルおよび１つのセカンダリセルを含む２つのサービングセル用いて基地局装置３と通信する端末装置１であって、トランスポートブロックを受信する受信部１０５と、サブフレームｎ―ｋｐｐにおける前記プライマリセルにおいてトランスポートブロックが受信され、且つ、スケジューリング要求が負のスケジューリング要求である、且つ、ＨＡＲＱ−ＡＣＫと前記スケジューリング要求がサブフレームｎにおいて送信される場合、前記セカンダリセルにおけるサブフレームｑが第１の所定のサブフレームの何れでもない場合、第１の送信方法を選択し、前記セカンダリセルにおけるサブフレームｊが第１の所定のサブフレームの何れかである場合、第２の送信方法を選択し、選択された送信方法を用いて前記ＨＡＲＱ−ＡＣＫのためのＰＵＣＣＨリソースにおいて第１のＨＡＲＱ−ＡＣＫを送信する送信部１０７と、を備え、前記第１の送信方法はＦＤＤに対するチャネル選択をともなうＰＵＣＣＨフォーマット１ｂをともなうＨＡＲＱ−ＡＣＫの送信方法であり、前記第２の送信方法はＦＤＤに対するＰＵＣＣＨフォーマット１ａまたは１ｂをともなうＨＡＲＱ−ＡＣＫの送信方法であり、前記サブフレームｑは、前記端末装置１に前記セカンダリセルに対する上位層のパラメータｓｈｏｒｔＰｒｏｃｅｓｓｉｎｇＴｉｍｅが設定されない場合、ｎ−４で与えられ、前記端末装置１に前記セカンダリセルに対する上位層のパラメータｓｈｏｒｔＰｒｏｃｅｓｓｉｎｇＴｉｍｅが設定されている場合、ｎ−３で与えられてもよい。
【０１７０】
（２）本実施形態の第２の態様は、１つのプライマリセルおよび１つのセカンダリセルを含む２つのサービングセル用いて端末装置１と通信する基地局装置３であって、トランスポートブロックを送信する送信部３０７と、サブフレームｎ―ｋｐｐにおける前記プライマリセルにおいてトランスポートブロックが送信され、且つ、スケジューリング要求が負のスケジューリング要求である、且つ、前記トランスポートブロックに対するＨＡＲＱ−ＡＣＫと前記スケジューリング要求がサブフレームｎにおいて送信される場合、前記セカンダリセルにおけるサブフレームｑが第１の所定のサブフレームの何れでもない場合、第１の送信方法を選択し、前記セカンダリセルにおけるサブフレームｊが第１の所定のサブフレームの何れかである場合、第２の送信方法を選択し、選択された送信方法を用いてＨＡＲＱ−ＡＣＫ送信のためのＰＵＣＣＨリソースにおいて第１のＨＡＲＱ−ＡＣＫを受信する受信部３０５と、を備え、前記第１の送信方法はＦＤＤに対するチャネル選択をともなうＰＵＣＣＨフォーマット１ｂをともなうＨＡＲＱ−ＡＣＫの送信方法であり、前記
第２の送信方法はＦＤＤに対するＰＵＣＣＨフォーマット１ａまたは１ｂをともなうＨＡＲＱ−ＡＣＫの送信方法であり、前記サブフレームｑは、前記端末装置１に前記セカンダリセルに対する上位層のパラメータｓｈｏｒｔＰｒｏｃｅｓｓｉｎｇＴｉｍｅが設定されない場合、ｎ−４で与えられ、前記端末装置１に前記セカンダリセルに対する上位層のパラメータｓｈｏｒｔＰｒｏｃｅｓｓｉｎｇＴｉｍｅが設定されている場合、ｎ−３で与えられてもよい。
【０１７１】
（３）本実施形態の第３の態様は、１つのプライマリセルおよび１つのセカンダリセルを含む２つのサービングセル用いて基地局装置３と通信する端末装置１であって、トランスポートブロックを受信する受信部１０５と、
サブフレームｉにおける前記プライマリセルにおいて１つまたは２つのトランスポートブロックが受信され、且つ、スケジューリング要求が正のスケジューリング要求である、且つ、サブフレームｉ＋ｋｐｐにおいてＨＡＲＱ−ＡＣＫと前記スケジューリング要求が送信される場合、前記セカンダリセルにおけるサブフレームｊが第１の所定のサブフレームの何れでもない場合、第３の送信方法を選択し、前記セカンダリセルにおけるサブフレームｊが第１の所定のサブフレームの何れかである場合、第４の送信方法を選択し、選択された送信方法を用いて前記スケジューリング要求のためのＰＵＣＣＨリソースにおいて第２のＨＡＲＱ−ＡＣＫを送信する送信部１０７と、を備え、前記第３の送信方法はＦＤＤに対するチャネル選択をともなうＰＵＣＣＨフォーマット１ｂをともなうＨＡＲＱ−ＡＣＫとＳＲの送信方法であり、前記第４の送信方法はＦＤＤに対するＰＵＣＣＨフォーマット１ａまたは１ｂをともなうＨＡＲＱ−ＡＣＫとＳＲの送信方法であり、前記サブフレームｊは、（Ｉ）端末装置１にプライマリセルに対する上位層のパラメータｓｈｏｒｔＰｒｏｃｅｓｓｉｎｇＴｉｍｅが設定されているかどうか、（ＩＩ）端末装置１にセカンダリセルに対する上位層のパラメータｓｈｏｒｔＰｒｏｃｅｓｓｉｎｇＴｉｍｅが設定されているかどうか、および、（ＩＩＩ）プライマリセルにおけるサブフレームｉにおけるトランスポートブロックをスケジュールするために用いられるＰＤＣＣＨが何れのサーチスペースで送信されるかに少なくとも基づいて与えられてもよい。
【０１７２】
（４）本実施形態の第４の態様において、１つのプライマリセルおよび１つのセカンダリセルを含む２つのサービングセル用いて端末装置１と通信する基地局装置３であって、トランスポートブロックを送信する送信部３０７と、サブフレームｉにおける前記プライマリセルにおいて１つまたは２つのトランスポートブロックが送信され、且つ、スケジューリング要求が正のスケジューリング要求である、且つ、サブフレームｉ＋ｋｐｐにおいてＨＡＲＱ−ＡＣＫと前記スケジューリング要求が受信される場合、前記セカンダリセルにおけるサブフレームｊが第１の所定のサブフレームの何れでもない場合、第３の送信方法を選択し、前記セカンダリセルにおけるサブフレームｊが第１の所定のサブフレームの何れかである場合、第４の送信方法を選択し、選択された送信方法を用いて前記スケジューリング要求のためのＰＵＣＣＨリソースにおいて第２のＨＡＲＱ−ＡＣＫを受信する受信部１０７と、を備え、前記第３の送信方法はＦＤＤに対するチャネル選択をともなうＰＵＣＣＨフォーマット１ｂをともなうＨＡＲＱ−ＡＣＫとＳＲの送信方法であり、前記第４の送信方法はＦＤＤに対するＰＵＣＣＨフォーマット１ａまたは１ｂをともなうＨＡＲＱ−ＡＣＫとＳＲの送信方法であり、前記サブフレームｊは、（Ｉ）端末装置１にプライマリセルに対する上位層のパラメータｓｈｏｒｔＰｒｏｃｅｓｓｉｎｇＴｉｍｅが設定されているかどうか、（ＩＩ）端末装置１にセカンダリセルに対する上位層のパラメータｓｈｏｒｔＰｒｏｃｅｓｓｉｎｇＴｉｍｅが設定されているかどうか、および、（ＩＩＩ）プライマリセルにおけるサブフレームｉにおけるトランスポートブロックをスケジュールするために用いられるＰＤＣＣＨが何れのサーチスペースで送信されるかに少なくとも基づいて与えられてもよい。
【０１７３】
（５）本実施形態の第１、第２、第３、第４のそれぞれの態様において、第１の所定の
サブフレームは、上りリンクサブフレームを含んでもよいし、第１の所定のサブフレームは所定の設定のスペシャルサブフレームを含んでもよいし、前記所定の設定は、ノーマルＣＰが設定された場合、コンフィギュレーション０または５であり、拡張ＣＰが設定された場合、コンフィギュレーション０または４である。
【０１７４】
（６）本実施形態の第３、第４のそれぞれの態様において、サブフレームｊは、前記端末装置１に前記プライマリセルに対する前記上位層のパラメータｓｈｏｒｔＰｒｏｃｅｓｓｉｎｇＴｉｍｅが設定されない、且つ、前記端末装置１に前記セカンダリセルに対する上位層のパラメータｓｈｏｒｔＰｒｏｃｅｓｓｉｎｇＴｉｍｅが設定されない場合、ｉであたえられる。
【０１７５】
（７）本実施形態の第３、第４のそれぞれの態様において、サブフレームｊは、前記端末装置１にプライマリセルに対する上位層のパラメータｓｈｏｒｔＰｒｏｃｅｓｓｉｎｇＴｉｍｅが設定されている、且つ、端末装置１にセカンダリセルに対する上位層のパラメータｓｈｏｒｔＰｒｏｃｅｓｓｉｎｇＴｉｍｅが設定されない、且つ、プライマリセルにおけるトランスポートブロックをスケジュールするために用いられるＰＤＣＣＨがサブフレームｉにおけるコモンサーチスペースで送信された場合、ｉであたえられる。
【０１７６】
（８）本実施形態の第３、第４のそれぞれの態様において、サブフレームｊは、端末装置１にプライマリセルに対する上位層のパラメータｓｈｏｒｔＰｒｏｃｅｓｓｉｎｇＴｉｍｅが設定されている、且つ、端末装置１にセカンダリセルに対する上位層のパラメータｓｈｏｒｔＰｒｏｃｅｓｓｉｎｇＴｉｍｅが設定されていない、且つ、プライマリセルにおけるトランスポートブロックをスケジュールするために用いられるＰＤＣＣＨがサブフレームｉにおけるＵＥ固有サーチスペースで送信された場合、ｉ―１であたえられる。
【０１７７】
（９）本実施形態の第３、第４のそれぞれの態様において、サブフレームｊは、端末装置１にプライマリセルに対する上位層のパラメータｓｈｏｒｔＰｒｏｃｅｓｓｉｎｇＴｉｍｅが設定されている、且つ、端末装置１にセカンダリセルに対する上位層のパラメータｓｈｏｒｔＰｒｏｃｅｓｓｉｎｇＴｉｍｅが設定されている、且つ、プライマリセルにおけるトランスポートブロックをスケジュールするために用いられるＰＤＣＣＨがサブフレームｉにおけるコモンサーチスペースで送信された場合、ｉ＋１であたえられる。
【０１７８】
（１０）本実施形態の第３、第４のそれぞれの態様において、サブフレームｊは、端末装置１にプライマリセルに対する上位層のパラメータｓｈｏｒｔＰｒｏｃｅｓｓｉｎｇＴｉｍｅが設定されている、且つ、端末装置１にセカンダリセルに対する上位層のパラメータｓｈｏｒｔＰｒｏｃｅｓｓｉｎｇＴｉｍｅが設定されている、且つ、プライマリセルにおけるトランスポートブロックをスケジュールするために用いられるＰＤＣＣＨがサブフレームｉにおけるＵＥ固有サーチスペースで送信された場合、ｉであたえられる。
【０１７９】
これにより、端末装置は効率的に上りリンク制御情報を送信することができる。また、基地局装置は効率的に上りリンク制御情報を受信することができる。
【０１８０】
本発明に関わる基地局装置３、および端末装置１で動作するプログラムは、本発明に関わる上記実施形態の機能を実現するように、ＣＰＵ（Central Processing Unit）等を制
御するプログラム（コンピュータを機能させるプログラム）であっても良い。そして、これら装置で取り扱われる情報は、その処理時に一時的にＲＡＭ（Random Access Memory）に蓄積され、その後、Ｆｌａｓｈ  ＲＯＭ（ReadOnly Memory)などの各種ＲＯＭやＨＤ
Ｄ（Hard Disk Drive）に格納され、必要に応じてＣＰＵによって読み出し、修正・書き
込みが行われる。
【０１８１】
尚、上述した実施形態における端末装置１、基地局装置３の一部、をコンピュータで実現するようにしても良い。その場合、この制御機能を実現するためのプログラムをコンピュータが読み取り可能な記録媒体に記録して、この記録媒体に記録されたプログラムをコンピュータシステムに読み込ませ、実行することによって実現しても良い。
【０１８２】
尚、ここでいう「コンピュータシステム」とは、端末装置１、又は基地局装置３に内蔵されたコンピュータシステムであって、ＯＳや周辺機器等のハードウェアを含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。
【０１８３】
さらに「コンピュータ読み取り可能な記録媒体」とは、インターネット等のネットワークや電話回線等の通信回線を介してプログラムを送信する場合の通信線のように、短時間、動的にプログラムを保持するもの、その場合のサーバやクライアントとなるコンピュータシステム内部の揮発性メモリのように、一定時間プログラムを保持しているものも含んでも良い。また上記プログラムは、前述した機能の一部を実現するためのものであっても良く、さらに前述した機能をコンピュータシステムにすでに記録されているプログラムとの組み合わせで実現できるものであっても良い。
【０１８４】
また、上述した実施形態における基地局装置３は、複数の装置から構成される集合体（装置グループ）として実現することもできる。装置グループを構成する装置の各々は、上述した実施形態に関わる基地局装置３の各機能または各機能ブロックの一部、または、全部を備えてもよい。装置グループとして、基地局装置３の一通りの各機能または各機能ブロックを有していればよい。また、上述した実施形態に関わる端末装置１は、集合体としての基地局装置と通信することも可能である。
【０１８５】
また、上述した実施形態における基地局装置３は、ＥＵＴＲＡＮ（Evolved UniversalTerrestrial Radio Access Network）であってもよい。また、上述した実施形態における基地局装置３は、ｅＮｏｄｅＢに対する上位ノードの機能の一部または全部を有してもよい。
【０１８６】
また、上述した実施形態における端末装置１、基地局装置３の一部、又は全部を典型的には集積回路であるＬＳＩとして実現してもよいし、チップセットとして実現してもよい。端末装置１、基地局装置３の各機能ブロックは個別にチップ化してもよいし、一部、又は全部を集積してチップ化してもよい。また、集積回路化の手法はＬＳＩに限らず専用回路、又は汎用プロセッサで実現しても良い。また、半導体技術の進歩によりＬＳＩに代替する集積回路化の技術が出現した場合、当該技術による集積回路を用いることも可能である。
【０１８７】
また、上述した実施形態では、通信装置の一例として端末装置を記載したが、本願発明は、これに限定されるものではなく、屋内外に設置される据え置き型、または非可動型の電子機器、たとえば、ＡＶ機器、キッチン機器、掃除・洗濯機器、空調機器、オフィス機器、自動販売機、その他生活機器などの端末装置もしくは通信装置にも適用出来る。
【０１８８】
以上、この発明の実施形態に関して図面を参照して詳述してきたが、具体的な構成はこの実施形態に限られるものではなく、この発明の要旨を逸脱しない範囲の設計変更等も含まれる。また、本発明は、請求項に示した範囲で種々の変更が可能であり、異なる実施形態にそれぞれ開示された技術的手段を適宜組み合わせて得られる実施形態についても本発明の技術的範囲に含まれる。また、上記各実施形態に記載された要素であり、同様の効果を奏する要素同士を置換した構成も含まれる。
【符号の説明】
【０１８９】
１（１Ａ、１Ｂ、１Ｃ）  端末装置
３  基地局装置
１０１  上位層処理部
１０３  制御部
１０５  受信部
１０７  送信部
３０１  上位層処理部
３０３  制御部
３０５  受信部
３０７  送信部
１０１１  無線リソース制御部
１０１３  スケジューリング部
３０１１  無線リソース制御部
３０１３  スケジューリング部
【図１】
2019106637.tif 000003
【図２】
2019106637.tif 000004
【図３】
2019106637.tif 000005
【図４】
2019106637.tif 000006
【図５】
2019106637.tif 000007
【図６】
2019106637.tif 000008
【図７】
2019106637.tif 000009
【図８】
2019106637.tif 000010
【図９】
2019106637.tif 000011
【図１０】
2019106637.tif 000012
【図１１】
2019106637.tif 000013
【図１２】
2019106637.tif 000014
【図１３】
2019106637.tif 000015
【図１４】
2019106637.tif 000016
【図１５】
2019106637.tif 000017
【図１６】
2019106637.tif 000018
【図１７】
2019106637.tif 000019
【図１８】
2019106637.tif 000020